(57)【要約】【課題】コンテンツデータを迅速に提供する。【解決手段】本発明は、音楽提供サーバは、コンテンツデータとしての音楽データを購入予約要求されると、通信端末に対し、発売日時前に、そのままでは利用できない音楽データと当該音楽データの購入を予約した予約情報とを送信し、発売日時以降に、購入が予約されていた音楽データを予約情報に基づいて購入要求されると、通信端末に対し、購入要求された音楽データに対応するライセンスデータを送信するようにしたことにより、発売日時以降に、複数のコンテンツ取得装置からコンテンツデータの取得要求が集中しても、これら複数のコンテンツ取得装置に対し、あたかもコンテンツデータを提供しているようにして、順次データ量の少ないライセンスデータのみを短時間で送信することができ、かくしてコンテンツデータを迅速に提供し得る。【選択図】図１１
2008198109.tif 000002
【特許請求の範囲】
【請求項１】
コンテンツデータを提供するコンテンツ提供装置と、当該コンテンツ提供装置の提供する上記コンテンツデータを取得するコンテンツ取得装置とから構築されるコンテンツ提供システムにおいて、
上記コンテンツ提供装置は、
上記コンテンツデータの提供開始日時前に、上記コンテンツ取得装置から、当該コンテンツデータの取得の予約を要求する予約要求情報が送信されると、当該予約要求情報を受信する予約要求受信部と、
上記予約要求受信部により上記予約要求情報が受信されると、上記コンテンツ取得装置に対し、上記コンテンツデータ、及び当該コンテンツデータのデータ量よりも少ないデータ量で上記提供開始日時から上記コンテンツデータの利用を許可する利用許可データのうち当該コンテンツデータと、上記取得の予約を受け付けたこと及び上記提供開始日時を示す予約情報とを送信する予約情報送信部と、
上記予約情報送信部により、上記コンテンツデータと上記予約情報とが上記コンテンツ取得装置に送信された結果、当該コンテンツ取得装置から、上記提供開始日時以降に、上記取得が予約されていた上記コンテンツデータの取得を要求する取得要求情報が送信されると、当該取得要求情報を受信する取得要求受信部と、
上記取得要求受信部により上記取得要求情報が受信されると、上記コンテンツ取得装置に対し、上記利用許可データを送信する許可データ送信部と
を具え、
上記コンテンツ取得装置は、
上記コンテンツデータの上記提供開始日時前に、上記コンテンツ提供装置に対して上記予約要求情報を送信する予約要求送信部と、
上記予約要求送信部により、上記予約要求情報が上記コンテンツ提供装置に送信された結果、当該コンテンツ提供装置から送信される上記コンテンツデータと上記予約情報とを受信する予約情報受信部と、
上記予約情報受信部により受信された上記予約情報に基づいて、上記提供開始日時以降に、上記コンテンツ提供装置に対して、上記取得要求情報を送信する取得要求送信部と、
上記取得要求送信部により、上記取得要求情報が上記コンテンツ提供装置に送信された結果、当該コンテンツ提供装置から送信される上記利用許可データを受信する許可データ受信部と
を具えることを特徴とするコンテンツ提供システム。
【請求項２】
コンテンツ取得装置にコンテンツデータを提供するコンテンツ提供装置において、
上記コンテンツデータの提供開始日時前に、上記コンテンツ取得装置から、当該コンテンツデータの取得の予約を要求する予約要求情報が送信されると、当該予約要求情報を受信する予約要求受信部と、
上記予約要求受信部により上記予約要求情報が受信されると、上記コンテンツ取得装置に対し、上記コンテンツデータ、及び当該コンテンツデータのデータ量よりも少ないデータ量で上記提供開始日時から上記コンテンツデータの利用を許可する利用許可データのうち当該コンテンツデータと、上記取得の予約を受け付けたこと及び上記提供開始日時を示す予約情報とを送信する予約情報送信部と、
上記予約情報送信部により、上記コンテンツデータと上記予約情報とが上記コンテンツ取得装置に送信された結果、当該コンテンツ取得装置から、上記提供開始日時以降に、上記取得が予約されていた上記コンテンツデータの取得を要求する取得要求情報が送信されると、当該取得要求情報を受信する取得要求受信部と、
上記取得要求受信部により上記取得要求情報が受信されると、上記コンテンツ取得装置に対し、上記利用許可データを送信する許可データ送信部と
を具えることを特徴とするコンテンツ提供装置。
【請求項３】
上記取得要求受信部により上記取得要求情報が受信されると、現在日時が上記提供開始日時以降であるか否かを判別する提供側日時判別部を具え、
上記許可データ送信部は、
上記提供側日時判別部により、上記現在日時が上記提供開始日時以降であると判別された場合に、上記コンテンツ取得装置に対し、上記利用許可データを送信する
ことを特徴とする請求項２に記載のコンテンツ提供装置。
【請求項４】
上記予約情報送信部は、
上記提供開始日時前に、上記予約要求受信部により、複数の上記コンテンツ取得装置から送信される上記予約要求情報が集中して受信されると、上記コンテンツ取得装置に対する上記コンテンツデータ及び上記予約情報の送信処理が重複しないように、それぞれの上記コンテンツ取得装置に対し、上記コンテンツデータ及び上記予約情報を送信する
ことを特徴とする請求項２に記載のコンテンツ提供装置。
【請求項５】
上記予約情報送信部により、上記コンテンツデータと上記予約情報とが上記コンテンツ取得装置に送信された結果、当該コンテンツ取得装置から、上記予約情報に基づき、予約に関連して提供される関連提供情報の取得を要求する提供情報取得要求を受信する提供情報要求受信部と、
上記提供情報要求受信部により上記提供情報取得要求が受信されると、上記コンテンツ取得装置に対し、上記関連提供情報を送信する関連情報送信部と
を具えることを特徴とする請求項２に記載のコンテンツ提供装置。
【請求項６】
上記予約情報送信部は、
上記コンテンツ取得装置に対して、予約に関連して提供される関連提供情報を含む上記予約情報を送信する
ことを特徴とする請求項２に記載のコンテンツ提供装置。
【請求項７】
コンテンツ提供装置から提供されるコンテンツデータを取得するコンテンツ取得装置において、
上記コンテンツデータの提供開始日時前に、上記コンテンツ提供装置に対して、上記コンテンツデータの取得の予約を要求する予約要求情報を送信する予約要求送信部と、
上記予約要求送信部により、上記予約要求情報が上記コンテンツ提供装置に送信された結果、当該コンテンツ提供装置から送信される、上記コンテンツデータ、及び当該コンテンツデータのデータ量よりも少ないデータ量で上記提供開始日時から上記コンテンツデータの利用を許可する利用許可データのうち当該コンテンツデータと、上記取得の予約を受け付けたこと及び上記提供開始日時を示す予約情報とを受信する予約情報受信部と、
上記予約情報受信部により受信された上記予約情報に基づいて、上記提供開始日時以降に、上記コンテンツ提供装置に対して、上記取得を予約していた上記コンテンツデータの取得を要求する取得要求情報を送信する取得要求送信部と、
上記取得要求送信部により、上記取得要求情報が上記コンテンツ提供装置に送信された結果、当該コンテンツ提供装置から送信される上記利用許可データを受信する許可データ受信部と
を具えることを特徴とするコンテンツ取得装置。
【請求項８】
現在日時が上記予約情報受信部により受信された上記予約情報に示される上記提供開始日時以降であるか否かを判別する取得側日時判別部を具え、
上記取得要求送信部は、
上記取得側日時判別部により、現在日時が上記予約情報受信部により受信された上記予約情報に示される上記提供開始日時以降であると判別された場合に、上記コンテンツ提供装置に対して上記取得要求情報を送信する
ことを特徴とする請求項７に記載のコンテンツ取得装置。
【請求項９】
上記利用許可データにより利用が許可された上記コンテンツデータを再生する再生部を具え、
上記取得側日時判別部は、
上記コンテンツ取得装置が起動されると、現在日時が上記予約情報受信部により受信された上記予約情報に示される上記提供開始日時以降であるか否かを判別し、
上記再生部は、
上記取得要求送信部により、当該コンテンツ提供装置から送信される上記利用許可データが受信されると、当該利用許可データにより利用が許可された上記コンテンツデータを再生する
ことを特徴とする請求項８に記載のコンテンツ取得装置。
【請求項１０】
上記予約情報受信部により受信された上記予約情報に基づいて、予約に関連して提供される関連提供情報の取得を要求する提供情報取得要求を送信する提供情報要求送信部と、
上記提供情報要求送信部により、上記提供情報取得要求が上記コンテンツ提供装置に送信された結果、当該コンテンツ提供装置から送信される上記関連提供情報を受信する関連情報受信部と
を具えることを特徴とする請求項７に記載のコンテンツ取得装置。
【請求項１１】
上記予約情報受信部は、
予約に関連して提供される関連提供情報を含む上記予約情報を受信する
ことを特徴とする請求項７に記載のコンテンツ提供装置。
【請求項１２】
コンテンツ提供装置によるコンテンツデータの提供開始日時前に、当該コンテンツ提供装置に対して、上記コンテンツデータの取得の予約を要求する予約要求情報を送信する予約要求送信ステップと、
上記予約要求情報を上記コンテンツ提供装置に送信した結果、当該コンテンツ提供装置から送信される、上記コンテンツデータ、及び当該コンテンツデータのデータ量よりも少ないデータ量で上記提供開始日時から上記コンテンツデータの利用を許可する利用許可データのうち当該コンテンツデータと、上記取得の予約を受け付けたこと及び上記提供開始日時を示す予約情報とを受信する予約情報受信ステップと、
受信した上記予約情報に基づいて、上記提供開始日時以降に、上記コンテンツ提供装置に対して、上記取得が予約されていた上記コンテンツデータの取得を要求する取得要求情報を送信する取得要求送信ステップと、
上記取得要求情報を上記コンテンツ提供装置に送信した結果、当該コンテンツ提供装置から送信される上記利用許可データを受信する許可データ受信ステップと
を具えることを特徴とするコンテンツ取得方法。
【請求項１３】
コンピュータに対し、
コンテンツ提供装置によるコンテンツデータの提供開始日時前に、当該コンテンツ提供装置に対して、上記コンテンツデータの取得の予約を要求する予約要求情報を送信する予約要求送信ステップと、
上記予約要求情報を上記コンテンツ提供装置に送信した結果、当該コンテンツ提供装置から送信される、上記コンテンツデータ、及び当該コンテンツデータのデータ量よりも少ないデータ量で上記提供開始日時から上記コンテンツデータの利用を許可する利用許可データのうち当該コンテンツデータと、上記取得の予約を受け付けたこと及び上記提供開始日時を示す予約情報とを受信する予約情報受信ステップと、
受信した上記予約情報に基づいて、上記提供開始日時以降に、上記コンテンツ提供装置に対して、上記取得が予約されていた上記コンテンツデータの取得を要求する取得要求情報を送信する取得要求送信ステップと、
上記取得要求情報を上記コンテンツ提供装置に送信した結果、当該コンテンツ提供装置から送信される上記利用許可データを受信する許可データ受信ステップと
を実行させるコンテンツ取得プログラム。
【発明の詳細な説明】
【技術分野】
【０００１】
本発明はコンテンツ提供システム、コンテンツ提供装置、コンテンツ取得装置、コンテンツ取得方法及びコンテンツ取得プログラムに関し、例えば、通信端末に対して音楽提供サーバからコンテンツとしての音楽データを提供する音楽提供システムに適用して好適なものである。
【背景技術】
【０００２】
従来のコンテンツ送信システムにおいてコンテンツ要求装置は、コンテンツ送信装置に対し、送信先へ送信するコンテンツデータと、このコンテンツデータを送信する時刻とを指定して、当該指定した時刻（以下、これを指定時刻と呼ぶ）に、送信先へコンテンツデータを送信するようにしていた。また従来のコンテンツ送信システムにおいてコンテンツ送信装置は、コンテンツ要求装置の依頼に応じて、指定時刻にコンテンツデータを送信するものの、送信の依頼された複数のコンテンツデータで送信の指定時刻が重複すると、当該複数のコンテンツデータの送信処理が重複しないように、これら複数のコンテンツデータの送信時刻を指定時刻からずらしていた（例えば特許文献１参照）。
【特許文献１】特開２００４−２６５３３５公報
【発明の開示】
【発明が解決しようとする課題】
【０００３】
ところで、コンテンツデータとして音楽データや動画データを送信する場合、これら音楽データや動画データのデータ量が比較的多いため、コンテンツ送信装置は、１つのコンテンツデータの送信開始から送信終了までの間に要する時間が比較的長くなる。従って、従来のコンテンツ送信装置は、複数のコンテンツデータで送信の指定時刻が重複したために送信時刻を指定時刻からずらした場合、これら複数のコンテンツデータの中には、指定時刻から大幅に遅れて送信するものがあり、コンテンツデータを迅速に提供し難い場合があるという問題があった。
【０００４】
本発明は以上の点を考慮してなされたもので、コンテンツデータを迅速に提供するコンテンツ提供システム、コンテンツ提供装置、コンテンツ取得装置、コンテンツ取得方法及びコンテンツ取得プログラムを実現する。
【課題を解決するための手段】
【０００５】
かかる課題を解決するため本発明においては、コンテンツデータを提供するコンテンツ提供装置と、当該コンテンツ提供装置の提供するコンテンツデータを取得するコンテンツ取得装置とから構築されるコンテンツ提供システムにおいて、コンテンツ提供装置は、コンテンツデータの提供開始日時前に、コンテンツ取得装置から、当該コンテンツデータの取得の予約を要求する予約要求情報が送信されると、当該予約要求情報を受信し、予約要求情報を受信すると、コンテンツ取得装置に対し、コンテンツデータ、及び当該コンテンツデータのデータ量よりも少ないデータ量で提供開始日時からコンテンツデータの利用を許可する利用許可データのうち当該コンテンツデータと、取得の予約を受け付けたこと及び提供開始日時を示す予約情報とを送信し、コンテンツデータと予約情報とをコンテンツ取得装置に送信した結果、当該コンテンツ取得装置から、提供開始日時以降に、取得が予約されていたコンテンツデータの取得を要求する取得要求情報が送信されると、当該取得要求情報を受信し、取得要求情報を受信すると、コンテンツ取得装置に対し、利用許可データを送信するようにして、コンテンツ取得装置は、コンテンツデータの提供開始日時前に、コンテンツ提供装置に対して予約要求情報を送信し、予約要求情報をコンテンツ提供装置に送信した結果、当該コンテンツ提供装置から送信されるコンテンツデータと予約情報とを受信し、受信した予約情報に基づいて、提供開始日時以降に、コンテンツ提供装置に対して、取得要求情報を送信し、取得要求情報をコンテンツ提供装置に送信した結果、当該コンテンツ提供装置から送信される利用許可データを受信するようにした。
【０００６】
これによりコンテンツ提供システムにおいてコンテンツ提供装置は、コンテンツ取得装置からコンテンツデータの取得を予約することが要求されると、提供開始日時前にコンテンツデータを送信し、提供開始日時以降に利用許可データを送信してコンテンツデータの利用を許可することで、当該提供開始日時以降には、コンテンツ取得装置からのコンテンツデータの取得要求に応じて、あたかもコンテンツデータを提供しているように、そのコンテンツデータよりもデータ量の少ない利用許可データのみを送信することができ、その結果、提供開始日時以降に、複数のコンテンツ取得装置からコンテンツデータの取得要求が集中しても、これら複数のコンテンツ取得装置に対し、あたかもコンテンツデータを提供しているようにして、順次データ量の少ない利用許可データのみを短時間で送信することができる。
【発明の効果】
【０００７】
本発明によれば、コンテンツデータを提供するコンテンツ提供装置と、当該コンテンツ提供装置の提供するコンテンツデータを取得するコンテンツ取得装置とから構築されるコンテンツ提供システムにおいて、コンテンツ提供装置は、コンテンツデータの提供開始日時前に、コンテンツ取得装置から、当該コンテンツデータの取得の予約を要求する予約要求情報が送信されると、当該予約要求情報を受信し、予約要求情報を受信すると、コンテンツ取得装置に対し、コンテンツデータ、及び当該コンテンツデータのデータ量よりも少ないデータ量で提供開始日時からコンテンツデータの利用を許可する利用許可データのうち当該コンテンツデータと、取得の予約を受け付けたこと及び提供開始日時を示す予約情報とを送信し、コンテンツデータと予約情報とをコンテンツ取得装置に送信した結果、当該コンテンツ取得装置から、提供開始日時以降に、取得が予約されていたコンテンツデータの取得を要求する取得要求情報が送信されると、当該取得要求情報を受信し、取得要求情報を受信すると、コンテンツ取得装置に対し、利用許可データを送信するようにして、コンテンツ取得装置は、コンテンツデータの提供開始日時前に、コンテンツ提供装置に対して予約要求情報を送信し、予約要求情報をコンテンツ提供装置に送信した結果、当該コンテンツ提供装置から送信されるコンテンツデータと予約情報とを受信し、受信した予約情報に基づいて、提供開始日時以降に、コンテンツ提供装置に対して、取得要求情報を送信し、取得要求情報をコンテンツ提供装置に送信した結果、当該コンテンツ提供装置から送信される利用許可データを受信するようにしたことにより、コンテンツ提供装置は、コンテンツ取得装置からコンテンツデータの取得を予約することが要求されると、提供開始日時前にコンテンツデータを送信し、提供開始日時以降に利用許可データを送信してコンテンツデータの利用を許可することで、当該提供開始日時以降には、コンテンツ取得装置３からのコンテンツデータの取得要求に応じて、あたかもコンテンツデータを提供しているように、そのコンテンツデータよりもデータ量の少ない利用許可データのみを送信することができ、その結果、提供開始日時以降に、複数のコンテンツ取得装置からコンテンツデータの取得要求が集中しても、これら複数のコンテンツ取得装置に対し、あたかもコンテンツデータを提供しているようにして、順次データ量の少ない利用許可データのみを短時間で送信することができ、かくして、コンテンツデータを迅速に提供し得るコンテンツ提供システム、コンテンツ提供装置、コンテンツ取得装置、コンテンツ取得方法及びコンテンツ取得プログラムを実現できる。
【発明を実施するための最良の形態】
【０００８】
以下図面について、本発明の一実施の形態を詳述する。
【０００９】
（１）実施の形態の概要
図１において、１は全体として本実施の形態による、コンテンツデータを提供するコンテンツ提供装置２と、当該コンテンツ提供装置２から提供されるコンテンツデータを取得するコンテンツ取得装置３とを有するコンテンツ提供システムの構成の概要を示す。コンテンツ提供システム１においてコンテンツ提供装置２は、コンテンツデータの提供開始日時前に、コンテンツ取得装置３から、当該コンテンツデータの取得の予約を要求する予約要求情報が送信されると、当該予約要求情報を受信する予約要求受信部４を有する。またコンテンツ提供システム１においてコンテンツ提供装置２には、予約要求受信部４により予約要求情報が受信されると、コンテンツ取得装置３に対し、コンテンツデータ、及び当該コンテンツデータのデータ量よりも少ないデータ量で提供開始日時からコンテンツデータの利用を許可する利用許可データのうち当該コンテンツデータと、取得の予約を受け付けたこと及び提供開始日時を示す予約情報とを送信する予約情報送信部５が設けられている。さらにコンテンツ提供システム１においてコンテンツ提供装置２には、予約情報送信部５により、コンテンツデータと予約情報とをコンテンツ取得装置３に送信した結果、当該コンテンツ取得装置３から、提供開始日時以降に、取得が予約されていたコンテンツデータの取得を要求する取得要求情報が送信されると、当該取得要求情報を受信する取得要求受信部６が設けられている。さらにコンテンツ提供システム１においてコンテンツ提供装置２には、取得要求受信部６により取得要求情報が受信されると、コンテンツ取得装置３に対し、利用許可データを送信する許可データ送信部７が設けられている。一方でコンテンツ提供システム１においてコンテンツ取得装置３は、コンテンツデータの提供開始日時前に、コンテンツ提供装置２に対して予約要求情報を送信する予約要求送信部８を有する。またコンテンツ提供システム１においてコンテンツ取得装置３には、予約要求送信部８により、予約要求情報がコンテンツ提供装置２に送信された結果、当該コンテンツ提供装置２から送信されるコンテンツデータと予約情報とを受信する予約情報受信部９が設けられている。さらにコンテンツ提供システム１においてコンテンツ取得装置３には、予約情報受信部９により受信された予約情報に基づいて、提供開始日時以降に、コンテンツ提供装置２に対して、取得要求情報を送信する取得要求送信部１０が設けられている。さらにコンテンツ提供システム１においてコンテンツ取得装置３には、取得要求送信部１０により、取得要求情報がコンテンツ提供装置２に送信された結果、当該コンテンツ提供装置２から送信される利用許可データを受信する許可データ受信部１１が設けられている。かかる構成により、コンテンツ提供システム１においてコンテンツ提供装置２は、コンテンツ取得装置３からコンテンツデータの取得を予約することが要求されると、提供開始日時前にコンテンツデータを送信し、提供開始日時以降に利用許可データを送信してコンテンツデータの利用を許可することで、当該提供開始日時以降には、コンテンツ取得装置３からのコンテンツデータの取得要求に応じて、あたかもコンテンツデータを提供しているように、そのコンテンツデータよりもデータ量の少ない利用許可データのみを送信することができ、その結果、提供開始日時以降に、複数のコンテンツ取得装置３からコンテンツデータの取得要求が集中しても、これら複数のコンテンツ取得装置３に対し、あたかもコンテンツデータを提供しているようにして、順次データ量の少ない利用許可データのみを短時間で送信することができ、かくして、コンテンツデータを迅速に提供し得る。
【００１０】
（２）第１の実施の形態
（２−１）音楽購入システムの構成
図２において、２０は全体として第１の実施の形態によるコンテンツ提供システム１を適用した音楽購入システムを示す。かかる音楽購入システム２０は、通信端末２１と音楽提供サーバ２２とがネットワークＮＴを介して通信可能なようになされている。
【００１１】
かかる音楽購入システム２０において通信端末２１は、音楽提供サーバ２２の提供する音楽データの購入を要求（以下、これを購入要求と呼ぶ）する。またかかる音楽購入システム２０において音楽提供サーバ２２は、通信端末２１により音楽データが購入要求されると、購入要求された音楽データと、この音楽データの利用を許可する利用許可データとしてのライセンスデータとを通信端末２１に対して送信する。通信端末２１は、音楽データを購入要求した結果、この音楽提供サーバ２２から送信される音楽データとライセンスデータを受信する。そして通信端末２１は、ライセンスデータにより利用が許可された音楽データを再生する。このようにして通信端末２１は、再生可能な音楽データを音楽提供サーバ２２から取得することができる。
【００１２】
（２−２）通信端末の回路構成
次いで図３を用いて、通信端末２１の機能回路ブロックによる詳細なハードウェア構成を説明する。かかる通信端末２１は、制御部３０が端末全体を統括制御すると共に、各種操作キーからなる操作部３１へのユーザ操作に応じて入力される種々の命令等に応じて各種処理を実行する。
【００１３】
かかる通信端末２１の制御部３０は、ユーザにより操作部３１を介してネットワークＮＴ上の音楽提供サーバ２２に通信接続するためのＵＲＬ（Uniform Resource Locator）等のネットワークアドレスからなる接続先情報（以下、これを購入先情報と呼ぶ）が選択され、この音楽提供サーバ２２において提供されている音楽データを購入するために選択する要求（以下、これを音楽選択要求と呼ぶ）が入力されると、音楽選択要求する信号（以下、これを音楽選択要求信号と呼ぶ）を生成する。そして制御部３０は、選択された購入先情報と生成した音楽選択要求信号とを取得側通信部３３に送出する。取得側通信部３３は、制御部３０から購入先情報と音楽選択要求信号が与えられると、購入先情報に応じて音楽提供サーバ２２にアクセスして音楽選択要求信号を送信する。取得側通信部３３は、音楽選択要求信号を音楽提供サーバ２２に送信した結果、この音楽提供サーバ２２から、既に発売中で購入可能な音楽データと発売前で予約可能な音楽データとを紹介するための画面（以下、これを音楽紹介画面と呼ぶ）のデータ（以下、これを音楽紹介画面データと呼ぶ）が返信されると、この音楽紹介画面データを受信し、表示部３５に送出する。表示部３５は、取得側通信部３３から与えられた音楽紹介画面データに基づく音楽紹介画面を表示する。このようにして、通信端末２１は、音楽提供サーバ２２から取得した音楽紹介画面データに基づく音楽紹介画面を表示部３５に表示することで、ユーザに音楽を紹介することができ、その結果、ユーザに対し、購入する音楽データを選択させることができる。
【００１４】
ここで、図４を用いて、表示部３５に表示される音楽紹介画面Ｘ１の一例を説明する。この音楽紹介画面Ｘ１には、ユーザに紹介する音楽データのタイトル（以下、これを音楽タイトルと呼ぶ）ＧＴが１つ又は複数表示される。この音楽紹介画面Ｘ１において、各音楽タイトルＧＴの右側には、かかる音楽タイトルＧＴに対応する音楽データが既に発売中の場合には、この音楽データを購入するためのボタン（以下、これを購入ボタンと呼ぶ）ＫＢが表示され、かかる音楽タイトルＧＴに対応する音楽データがまだ発売前の場合には購入を予約（以下、これを購入予約と呼ぶ）するためのボタン（以下、これを購入予約ボタンと呼ぶ）ＹＢが表示される。
【００１５】
ところで、音楽紹介画面データには、発売中の音楽データの購入をユーザに確認させるための画面（以下、これを購入画面と呼ぶ）用のデータ（以下、これを購入画面データと呼ぶ）を取得するためにアクセスさせる接続先情報（以下、購入画面取得先情報と呼ぶ）が予め埋め込まれている。また音楽紹介画面データには、発売前の音楽データを購入予約するための画面（以下、これを予約画面と呼ぶ）用のデータ（以下、これを予約画面データと呼ぶ）を取得するためにアクセスさせる接続先情報（以下、予約画面取得先情報と呼ぶ）が予め埋め込まれている。
【００１６】
そして、音楽紹介画面Ｘ１において購入ボタンＫＢには、購入画面取得先情報が割り当てられている。また、音楽紹介画面Ｘ１において予約購入ボタンＹＢには、予約画面取得先情報が割り当てられている。
【００１７】
また、音楽提供サーバ２２には、音楽毎の購入画面データと予約画面データとが予め記憶されている。
【００１８】
これにより制御部３０は、ユーザにより操作部３１を介して、音楽紹介画面Ｘ１上の発売中の音楽タイトルＧＴの購入ボタンＫＢが選択操作されて、この選択した音楽タイトルＧＴの示す音楽データを購入する要求（以下、これを購入要求と呼ぶ）が入力されると、表示部３５の音楽紹介画面データから、購入要求された音楽タイトルの示す音楽の購入画面取得先情報を取得する。制御部３０は、表示部３５から購入画面取得先情報を取得すると、購入要求する信号（以下、これを購入要求信号と呼ぶ）を生成し、購入画面取得先情報と共に取得側通信部３３に対して送出する。取得側通信部３３は、制御部３０から購入画面取得先情報と購入要求信号とが与えられると、購入画面取得先情報に応じて音楽提供サーバ２２にアクセスして購入要求信号を送信する。取得側通信部３３は、購入要求信号を音楽提供サーバ２２に送信した結果、この音楽提供サーバ２２から購入画面データが返信されると、この購入画面データを受信し、表示部３５に送出する。表示部３５は、取得側通信部３３から与えられた購入画面データに基づく購入画面を表示する。このようにして通信端末２１は、音楽提供サーバ２２から取得した購入画面データに基づく購入画面を表示部３５に表示することで、ユーザに対し、購入要求した音楽データの購入に関する内容（以下、これを購入内容と呼ぶ）を確認させることができる。
【００１９】
ここで、購入画面データには、購入する音楽データ（すなわち、コンテンツデータ）を識別するための情報（以下、これをコンテンツ識別情報と呼ぶ）が埋め込まれている。
【００２０】
ところで、通信端末２１のユーザは、音楽購入システム２０において音楽データを購入するサービスを受けるときに音楽提供サーバ２２に登録を行っており、各ユーザを識別するＩＤ（IDentification）等の、ユーザを他のユーザと識別する情報（以下、これをユーザ識別情報と呼ぶ）を取得している。そして制御部３０は、このユーザ識別情報をユーザ情報記憶部３９に予め記憶している。
【００２１】
これにより制御部３０は、音楽データの購入内容を確認したユーザにより操作部３１を介して、例えば口座番号等の課金に使用する情報（以下、これを課金情報と呼ぶ）が入力されて、購入画面が示す音楽データの送信や課金等の購入に関する処理の要求（以下、これを購入処理要求と呼ぶ）が入力されると、表示部３５の購入画面データからコンテンツ識別情報を取得する。また制御部３０は、ユーザにより操作部３１を介して購入処理要求が入力されると、ユーザ情報記憶部３９からユーザ識別情報を読み出す。そして制御部３０は、表示部３５から取得したコンテンツ識別情報と、ユーザ情報記憶部３９から取得したユーザ識別情報と、操作部３１で入力された課金情報とを格納するようにして購入処理要求データを生成し、生成した購入処理要求データを取得側通信部３３に送出する。取得側通信部３３は、制御部３０から購入処理要求データが与えられると、この購入処理要求データを音楽提供サーバ２２に送信する。
【００２２】
ここで、音楽提供サーバ２２には、この音楽提供サーバ２２で提供可能な音楽に対応するコンテンツデータとしての音楽データと、この音楽データの利用を許可するために予め生成された利用許可データとしてのライセンスデータとが記憶されている。音楽データには、音楽データの暗号化を解く際に用いるコンテンツキーや、当該暗号化を解いた音楽データに施されている圧縮符号化を復号する際に参照するコーデック識別値及びコーデック属性等が含まれていないため、そのままでは利用（すなわち再生）できないようになされている。また、ライセンスデータＬＤには、図５に示すように、対応する音楽データの利用を許可するための利用許可情報として、通信端末２１でその音楽データの暗号化を解く際に用いるコンテンツキー、当該暗号化を解いた音楽データに施されている圧縮符号化を復号する際に参照するコーデック識別値及びコーデック属性、音楽データの正当性をチェックするための正当性チェックフラグ、対応する音楽データのコンテンツ識別情報、及び音楽データに対する利用権利として規定した再生の許可を開始する再生許可開始日時（すなわち、音楽データの発売を開始することが許可される発売日時）が含まれている。このようにライセンスデータＬＤは、対応する音楽データを再生等に利用するうえで暗号化の解読やデコード等に欠くことのできない、利用許可情報を有している。またライセンスデータＬＤは、音楽データの再生を許可する情報等が含まれているだけであるので、音楽データのデータ量に比べて少ないデータ量で形成されている。
【００２３】
また音楽提供サーバ２２は、通信端末２１から購入処理要求データが与えられると、与えられた購入処理要求データに格納されているユーザ識別情報により、購入処理要求データを送信してきた通信端末２１を使用しているユーザが、予め登録されていることを確認するようになされている。さらに音楽提供サーバ２２は、ユーザが登録されていることを確認した場合に、与えられた購入処理要求データに格納されている課金情報に応じた課金を行えるようになされている。
【００２４】
これにより、取得側通信部３３は、購入処理要求データを送信した音楽提供サーバ２２において音楽データの購入に応じた課金が行われた結果、かかる音楽提供サーバ２２から、購入処理要求した音楽データとライセンスデータＬＤとが返信されると、この音楽データとライセンスデータＬＤとを受信してデータ記憶部３２に送出する。データ記憶部３２は、取得側通信部３３から与えられた音楽データとライセンスデータＬＤとを記憶する。このようにして通信端末２１は、音楽提供サーバ２２で提供されている音楽データを購入要求し、音楽提供サーバ２２において購入に応じた課金が行われた結果、この音楽提供サーバ２２から、購入要求した音楽データに対応する音楽データとライセンスデータＬＤとをダウンロードして記憶することで、再生可能な音楽データを購入（すなわち取得）できる。
【００２５】
この後、データ記憶部３２は、操作部３１を介して音楽データの再生が要求されると、当該再生が要求された音楽データと、当該音楽データに対応するライセンスデータＬＤとを読み出し、これを再生部３４に送出する。再生部３４は、データ記憶部３２から音楽データとライセンスデータＬＤとが与えられると、ライセンスデータＬＤを用いて音楽データの暗号化を解くと共に、暗号化を解いた音楽データに施されている圧縮符号化を復号し、デジタルアナログ変換処理及び増幅処理等の再生処理を施す。これにより再生部３４は、かかる再生処理に応じて音楽信号を得て、この音楽信号を出力することで音楽信号に基づく音楽をユーザに聴取させる。このようにして通信端末２１は、ユーザに対し、購入した音楽データを再生して聴かせることができる。
【００２６】
ところで制御部３０は、表示部３５により音楽紹介画面Ｘ１（図４）が表示されている状態で、ユーザにより操作部３１を介して、音楽紹介画面Ｘ１上の発売前の音楽タイトルＧＴに対応する音楽データの購入予約ボタンＹＢが選択操作されて、この選択された音楽データを購入予約する要求（以下、これを購入予約要求と呼ぶ）が入力されると、表示部３５の音楽紹介画面データから、選択された音楽データの予約画面取得先情報を取得する。制御部３０は、表示部３５から予約画面取得先情報を取得すると、購入予約要求する信号（以下、これを購入予約要求信号と呼ぶ）を生成し、予約画面取得先情報と共に取得側通信部３３に送出する。取得側通信部３３は、制御部３０から予約画面取得先情報と購入予約要求信号とが与えられると、予約画面取得先情報に応じて音楽提供サーバ２２にアクセスして購入予約要求信号を送信する。取得側通信部３３は、購入予約要求信号を音楽提供サーバ２２に送信した結果、この音楽提供サーバ２２から、予約画面データが返信されると、この予約画面データを受信し、表示部３５に送出する。表示部３５は、取得側通信部３３から与えられた予約画面データに基づく予約画面を表示する。このようにして通信端末２１は、音楽提供サーバ２２から取得した予約画面データに基づく予約画面を表示部３５に表示することで、ユーザに対し、購入予約要求した音楽データの購入予約に関する内容（以下、これを購入予約内容と呼ぶ）を確認させることができる。
【００２７】
ここで、予約画面データには、購入予約する音楽に対応する音楽データを識別するためのコンテンツ識別情報が埋め込まれている。
【００２８】
これにより制御部３０は、音楽データの購入予約内容を確認したユーザにより、操作部３１を介して課金情報が入力されて、予約画面が示す音楽データの購入予約や課金等の購入予約に関する処理の要求（以下、これを予約処理要求と呼ぶ）が入力されると、表示部３５の予約画面データからコンテンツ識別情報を取得する。また制御部３０は、ユーザにより操作部３１を介して予約処理要求が入力されると、ユーザ情報記憶部３９からユーザ識別情報を読み出す。そして制御部３０は、表示部３５から取得したコンテンツ識別情報と、ユーザ情報記憶部３９から取得したユーザ識別情報と、操作部３１で入力された課金情報とを格納するようにして予約処理要求データを生成し、生成した予約処理要求データを取得側通信部３３に送出する。取得側通信部３３は、制御部３０から予約処理要求データが与えられると、この予約処理要求データを音楽提供サーバ２２に送信する。
【００２９】
ここで音楽提供サーバ２２は、通信端末２１から予約処理要求データが与えられると、与えられた予約処理要求データに格納されているユーザ識別情報により、予約処理要求データを送信してきた通信端末２１を使用しているユーザが登録されているか否かを確認するようになされている。さらに音楽提供サーバ２２は、ユーザが既に登録されていることを確認した場合に、与えられた予約処理要求データに格納されている課金情報に応じて、前払いとして課金を行えるようになされている。
【００３０】
これにより、取得側通信部３３は、予約処理要求データを送信した音楽提供サーバ２２において対応する音楽データの購入予約に応じた前払いとしての課金が行われた結果、かかる音楽提供サーバ２２から、購入予約した音楽データに対応する音楽データと、発売日時前に音楽データの購入予約を受け付けた証明書である予約情報と、予約が完了したことを通知すると共に、予約したことにより通信端末２１のユーザに提供される予約特典を通知する画面（以下、これを予約通知画面と呼ぶ）用のデータ（以下、これを予約通知画面データと呼ぶ）とが返信されると、この音楽データ、予約情報及び予約通知画面データを受信する。
【００３１】
ここで予約情報ＹＪには、図６に示すように、音楽データを購入予約した内容を示す情報（以下、これを予約内容情報と呼ぶ）ＹＪａと、音楽データを購入予約したことに対する特典の情報（以下、これを予約特典情報と呼ぶ）ＹＪｂとが含まれている。この予約情報ＹＪのうちの予約内容情報ＹＪａには、予約識別情報、コンテンツ識別情報、再生許可開始日時、ユーザ識別情報及び課金チェック情報が含まれている。また予約情報ＹＪのうちの予約特典情報ＹＪｂには、関連画面取得先情報、試聴画面取得先情報及び購入割引情報が含まれている。さらに、各音楽データには、購入予約が許可される日時（例えば、当該音楽データの発売が告知される日時）から発売日時までの期間を、幾つかに細分化した期間（以下、これを発売前期間と呼ぶ）が予め割り当てられている。
【００３２】
予約内容情報ＹＪａにおいて予約識別情報は、今回に音楽の購入予約を行ったことを、他の購入予約とは区別して識別するようになされている。
【００３３】
また予約内容情報ＹＪａにおいてコンテンツ識別情報は、購入予約された音楽データを識別するようになされており、例えば購入予約を行った音楽データの音楽タイトルＧＴからなる。
【００３４】
さらに予約内容情報ＹＪａにおいて再生許可開始日時は発売日時を示している。
【００３５】
さらに予約内容情報ＹＪａにおいてユーザ識別情報は、今回に音楽の購入予約を行ったユーザのユーザ識別情報である。
【００３６】
さらに予約内容情報ＹＪａにおいて課金チェック情報は、予約処理要求データを送信した音楽提供サーバ２２において、対応する音楽データの購入予約に応じた前払いとしての課金が行われたか否かを示している。
【００３７】
一方で予約特典情報ＹＪｂにおいて関連画面取得先情報は、購入予約を行った音楽データに関連する他の音楽データ（以下、これを関連音楽データと呼ぶ）を紹介するための発売前期間毎の画面（以下、これを関連音楽紹介画面と呼ぶ）用のデータ（以下、これを関連音楽紹介画面データと呼ぶ）の取得先を、発売前期間毎に示している。
【００３８】
また予約特典情報ＹＪｂにおいて試聴画面取得先情報は、購入予約を行った音楽の一部だけを試聴可能な音楽データ（以下、これを試聴データと呼ぶ）を紹介するための発売前期間毎の画面（以下、これを試聴画面と呼ぶ）用のデータ（以下、これを試聴画面データと呼ぶ）の取得先を、発売前期間毎に示している。
【００３９】
さらに予約特典情報ＹＪｂにおいて購入割引情報は、他の音楽データを購入する際の割引金額と、他の音楽データを購入する際に割り引くことができる割引回数と、割り引いた金額で他の音楽データを購入可能な期間とが示されている。
【００４０】
これにより取得側通信部３３は、受信した音楽データをデータ記憶部３２に送出する。データ記憶部３２は、取得側通信部３３から与えられた音楽データを記憶する。この音楽データは、ライセンスデータＬＤが無いため、そのままでは利用（再生）できない。また取得側通信部３３は、受信した予約情報ＹＪを予約情報記憶部３６に送出する。予約情報記憶部３６は、取得側通信部３３から与えられた予約情報ＹＪを記憶する。さらに取得側通信部３３は、受信した予約通知画面データを画面データ記憶部３８に送出する。画面データ記憶部３８は、取得側通信部３３から与えられた予約通知画面データを記憶する。予約通知画面データは、予約が完了したことを通知すると共に、予約したことによりユーザに提供可能な予約特典を通知する予約通知画面のデータであるので、ユーザが所望するときに読み出せるように画面データ記憶部３８に記憶されるようになされている。この予約通知画面データにつては後述する。このようにして通信端末２１は、音楽を購入予約することができる。
【００４１】
ところで制御部３０は、ユーザにより通信端末２１が起動されたときに、予約情報記憶部３６から予約情報ＹＪを読み出し、読み出した予約情報ＹＪを日時判別部３７に送出するようになされている。
【００４２】
これにより制御部３０は、ユーザにより通信端末２１が起動されると、予約情報記憶部３６から予約情報ＹＪを読み出して日時判別部３７に送出する。日時判別部３７は、現在日時と制御部３０から与えられた予約情報ＹＪに含まれている再生許可開始日時（すなわち発売日時）とを比較する。そして日時判別部３７は、現在日時が再生許可開始日時以降である（すなわち、既に発売日時になっている）と判別すると、予約情報ＹＪを制御部３０に送出する。制御部３０は、日時判別部３７から予約情報ＹＪが与えられると、この予約情報ＹＪを格納するようにして、購入予約していた音楽データの購入（すなわち、再生可能な音楽データの購入）を要求（以下、これを予約音楽購入要求と呼ぶ）するデータ（以下、これを予約音楽購入要求データと呼ぶ）を生成する。そして制御部３０は、生成した予約音楽購入要求データを取得側通信部３３に送出する。取得側通信部３３は、制御部３０から与えられた予約音楽購入要求データを音楽提供サーバ２２に送信する。このようにして通信端末２１は、購入予約していた音楽データの発売日時以降になった場合に、この購入予約していた音楽データの購入を音楽提供サーバ２２に対して要求できるようになされている。
【００４３】
ここで音楽提供サーバ２２は、通信端末２１から予約情報ＹＪが与えられると、その予約情報ＹＪが、以前に自己が発行した予約情報ＹＪ（すなわち、正規の予約情報ＹＪ）であるか否かを判別するようになされている。また音楽提供サーバ２２は、通信端末２１から予約情報ＹＪが与えられると、現在日時が発売日時以降であるか否かを判別するようになされている。
【００４４】
これにより取得側通信部３３は、予約音楽購入要求データを送信した音楽提供サーバ２２において、送信した予約音楽購入要求データに格納されている予約情報ＹＪが正規の予約情報ＹＪであると判別されたと共に現在日時が発売日時以降であると判別された結果、この音楽提供サーバ２２から、購入予約していた音楽データに対応するライセンスデータＬＤが送信されると、このライセンスデータＬＤを受信する。取得側通信部３３は、受信したライセンスデータＬＤをデータ記憶部３２に送出する。データ記憶部３２は、取得側通信部３３から与えられたライセンスデータＬＤを記憶する。このようにして、データ記憶部３２に対し、購入予約していた音楽データと、当該音楽データに対応するライセンスデータＬＤとの両方が記憶された結果、かかる音楽データの再生がライセンスデータＬＤにより許可されて、購入予約していた音楽データの購入（取得）が完了する。
【００４５】
このようにして通信端末２１は、発売日時前に音楽データを購入予約したときに、そのままでは利用できない音楽データと、購入予約した音楽を発売日時以降に購入するための予約情報ＹＪとを予め受信して記憶する。さらに通信端末２１は、音楽の発売日時以降になると、予約情報ＹＪに応じ、購入予約していた音楽データの購入を要求することで、音楽データに対応するライセンスデータＬＤを受信して記憶する。従って通信端末２１は、音楽データの発売日時以降にライセンスデータＬＤを受信したときに、あたかも音楽提供サーバ２２から音楽データを購入したかのように音楽データの利用が許可されて、その結果、発売日時前に購入予約していた音楽データを、発売日時以降に購入（取得）できる。
【００４６】
一方で取得側通信部３３は、予約音楽購入要求データを送信した音楽提供サーバ２２において、送信した予約音楽購入要求データに格納されている予約情報ＹＪが正規の予約情報ＹＪではないと判別された結果、この音楽提供サーバ２２から、予約情報ＹＪが使用できないことを通知する画面（以下、これを使用不可通知画面）用のデータ（以下、これを使用不可通知画面データと呼ぶ）が送信されると、この使用不可通知画面データを受信して表示部３５に送出する。表示部３５は、取得側通信部３３から与えられた使用不可通知画面データに基づく使用不可通知画面を表示する。このようにして通信端末２１は、音楽提供サーバ２２から取得した使用不可通知画面データに基づく使用不可通知画面を表示部３５に表示することで、予約情報ＹＪが使用できないことを、ユーザに通知できる。
【００４７】
また取得側通信部３３は、予約音楽購入要求データを送信した音楽提供サーバ２２において、現在日時が発売日時以降では無いと判別された結果、この音楽提供サーバ２２から、発売日時になっていないことを通知する画面（以下、これを発売日時通知画面と呼ぶ）用のデータ（以下、これを発売日時通知画面データと呼ぶ）が送信されると、この発売日時通知画面データを受信して表示部３５に送出する。表示部３５は、取得側通信部３３から与えられた発売日時通知画面データに基づく発売日時通知画面を表示する。このようにして通信端末２１は、音楽提供サーバ２２から取得した発売日時通知画面データに基づく発売日時通知画面を表示部３５に表示することで、購入予約していた音楽データが、まだ発売日時になっていないことをユーザに通知できる。ちなみに、このように音楽提供サーバ２２から使用不可通知画面データが送信される場合としては、通信端末２１の時計が進んでいたために、まだ発売日時になっていないにも関わらず、日時判別部３７により現在日時が発売日時以降であると誤って判別し、音楽提供サーバ２２に対して予約音楽購入要求データを送信してしまった場合が想定される。
【００４８】
ここで、制御部３０は、データ記憶部３２により新たにライセンスデータＬＤが記憶されることで、購入予約していた音楽データを購入したとき、かかる音楽データと、当該音楽データに対応するライセンスデータＬＤとをデータ記憶部３２から読み出して再生部３４に送出するようになされている。
【００４９】
これにより制御部３０は、ユーザにより通信端末２１が起動されたことに応じて、購入予約していた音楽データを購入したとき、この音楽データと、当該音楽データに対応するライセンスデータＬＤとをデータ記憶部３２から読み出して再生部３４に送出する。再生部３４は、制御部３０から音楽データとライセンスデータＬＤとが与えられると、ライセンスデータＬＤを用いて音楽データの暗号化を解くと共に、暗号化を解いた音楽データに施されている圧縮符号化を復号し、デジタルアナログ変換処理及び増幅処理等の再生処理を施す。これにより再生部３４は、かかる再生処理に応じて音楽信号を得て、この音楽信号を出力することで音楽信号に基づく音楽をユーザに聴取させる。このようにして通信端末２１は、ユーザにより通信端末２１が起動されたことに応じ、購入予約していた音楽データを購入したとき、通信端末２１を起動したことにより当該通信端末２１の近くにいると想定されるユーザに対し、購入した音楽データを自動で再生して聴かせることができ、購入予約していた音楽データを購入したことを通知できると共に、ユーザを楽しませることができる。
【００５０】
（２−３）音楽提供サーバの回路構成
次いで図７を用いて、音楽提供サーバ２２の機能回路ブロックによる詳細なハードウェア構成を説明する。かかる音楽提供サーバ２２は、制御部４０が、サーバ全体を統括制御すると共に、提供側通信部４８により受信される各種信号やデータに応じた所定の演算処理や、各種処理を実行する。
【００５１】
ここで音楽提供サーバ２２の制御部４０は、この音楽提供サーバ２２で提供可能な音楽に対応する音楽データとライセンスデータとを、データ記憶部４１に予め記憶している。また制御部４０は、データ記憶部４１に記憶されている音楽データ毎の再生許可開始日時を示す再生許可開始日時情報を、かかる音楽データのコンテンツ識別情報に対応付けて、日時情報記憶部４３に予め記憶している。さらに制御部４０は、この音楽提供サーバ２２で提供可能な音楽データを紹介するための音楽紹介画面Ｘ１（図４）用の音楽紹介画面データを、紹介画面記憶部５１に予め記憶している。さらに制御部４０は、発売中の音楽の購入をユーザに確認させるための購入画面の表示用の音楽データ毎の購入画面データを、購入画面記憶部４７に予め記憶している。さらに制御部４０は、発売前の音楽データの購入予約をユーザに確認させるための予約画面の表示用の音楽データ毎の予約画面データを、予約画面記憶部４９に予め記憶している。さらに制御部４０は、音楽データを購入するために登録されたユーザを識別するために予め発行されたユーザ識別情報を、識別情報記憶部５０に予め記憶している。さらに制御部４０は、音楽データを購入予約したことに対する音楽データ毎の予約特典情報ＹＪｂ（すなわち、関連画面取得先情報、試聴画面取得先情報及び購入割引情報）を、かかる音楽データのコンテンツ識別情報に対応付けて、関連提供情報記憶部４５に予め記憶している。さらに制御部４０は、予約が完了したことを通知すると共に、予約したことによる特典を通知する予約通知画面用の音楽データ毎の予約通知画面データを、かかる音楽データのコンテンツ識別情報に対応付けて、関連提供情報記憶部４５に予め記憶している。
【００５２】
これにより提供側通信部４８は、ネットワークＮＴを介して通信端末２１から通信接続され、音楽選択要求信号が送信されると、この音楽選択要求信号を受信して制御部４０に送出する。制御部４０は、提供側通信部４８から音楽選択要求信号が与えられると、紹介画面記憶部５１から音楽紹介画面データを読み出して提供側通信部４８に送出する。提供側通信部４８は、制御部４０から与えられた音楽紹介画面データを通信端末２１に送信する。このようにして音楽提供サーバ２２は、通信端末２１に対して、音楽紹介画面データを送信する。
【００５３】
提供側通信部４８は、音楽紹介画面データを送信した通信端末２１において、音楽紹介画面データに基づく音楽紹介画面Ｘ１が表示された結果、この通信端末２１から、購入画面取得先情報に応じてアクセスされて購入要求信号が送信されると、送信された購入要求信号を受信して制御部４０に送出する。制御部４０は、提供側通信部４８から購入要求信号が与えられると、購入画面取得先情報が示す購入画面データを購入画面記憶部４７から読み出して提供側通信部４８に送出する。提供側通信部４８は、制御部４０から与えられた購入画面データを通信端末２１に送信する。このようにして音楽提供サーバ２２は、通信端末２１に対して、購入画面データを送信する。
【００５４】
提供側通信部４８は、購入画面データを送信した通信端末２１において購入画面データに基づく購入画面が表示された結果、この通信端末２１から購入処理要求データが送信されると、この購入処理要求データを受信して認証部４４に送出する。認証部４４は、提供側通信部４８から購入処理要求データが与えられると、この購入処理要求データに格納されているユーザ識別情報と同じユーザ識別情報を識別情報記憶部５０に記憶しているか否かを検索し、かかるユーザ識別情報を記憶していることに応じて、ユーザ識別情報に対応するユーザが既に登録されていることを認証したら、購入処理要求データを制御部４０に送出する。制御部４０は、認証部４４から購入処理要求データが与えられると、この購入処理要求データに格納されている課金情報に応じて課金を行う。そして制御部４０は、課金の完了後、購入処理要求データに格納されているコンテンツ識別情報に対応する音楽データとライセンスデータＬＤとをデータ記憶部４１から読み出して提供側通信部４８に送出する。そして提供側通信部４８は、制御部４０から与えられた音楽データとライセンスデータＬＤとを通信端末２１に対して送信する。このようにして音楽提供サーバ２２は、通信端末２１から音楽データを購入処理要求されると、課金を行って、音楽データと、この音楽データに対応するライセンスデータＬＤとを通信端末２１に提供する。
【００５５】
ところで提供側通信部４８は、音楽紹介画面データを送信した通信端末２１において、音楽紹介画面データに基づく音楽紹介画面Ｘ１が表示された結果、この通信端末２１から、予約画面取得先情報に応じてアクセスされて購入予約要求信号が送信されると、送信された購入予約要求信号を受信して制御部４０に送出する。制御部４０は、提供側通信部４８から購入予約要求信号が与えられると、予約画面取得先情報が示す予約画面データを予約画面記憶部４９から読み出して提供側通信部４８に送出する。提供側通信部４８は、制御部４０から与えられた予約画面データを通信端末２１に送信する。このようにして音楽提供サーバ２２は、通信端末２１に対して、予約画面データを送信する。
【００５６】
提供側通信部４８は、予約画面データを送信した通信端末２１において予約画面データに基づく予約画面が表示された結果、この通信端末２１から予約処理要求データが送信されると、この予約処理要求データを受信して認証部４４に送出する。認証部４４は、提供側通信部４８から予約処理要求データが与えられると、この予約処理要求データに格納されているユーザ識別情報と同じユーザ識別情報を識別情報記憶部５０から検索して、ユーザ識別情報に対応するユーザが既に登録されていることを認証したら、予約処理要求データを制御部４０に送出する。制御部４０は、認証部４４から予約処理要求データが与えられると、この予約処理要求データに格納されている課金情報に応じて前払いとして課金を行う。そして制御部４０は、課金の完了後、課金が完了したか否かを示す課金チェック情報（この場合は課金済を示す）を生成して予約情報生成部４２に送出する。
【００５７】
また制御部４０は、データ記憶部４１から、予約処理要求データに格納されているコンテンツ識別情報に対応する音楽データ及びライセンスデータＬＤのうち、音楽データのみを読み出して提供側通信部４８に送出する。さらにデータ記憶部４１は、日時情報記憶部４３から、予約処理要求データに格納されているコンテンツ識別情報に対応する再生許可開始日時情報を読み出して予約情報生成部４２に送出する。さらに制御部４０は、関連提供情報記憶部４５から、予約処理要求データに格納されているコンテンツ識別情報に対応する予約特典情報ＹＪｂを読み出して予約情報生成部４２に送出する。さらに制御部４０は、関連提供情報記憶部４５から、予約処理要求データに格納されているコンテンツ識別情報に対応する予約通知画面データを読み出して提供側通信部４８に送出する。このとき予約通知画面データには、購入要求されている音楽データに対応するコンテンツ識別情報が付加されるようになされている。そして制御部４０は、予約処理要求データを予約情報生成部４２に送出する。
【００５８】
予約情報生成部４２は、制御部４０から予約処理要求データを与えられると、今回に音楽データの購入予約を行ったことを、他の購入予約とは区別して示す予約識別情報を生成する。そして予約情報生成部４２は、生成した予約識別情報、制御部４０から与えられた課金チェック情報、再生許可開始日時情報、制御部４０から与えられた予約処理要求データに格納されているコンテンツ識別情報及びユーザ識別情報、を含む予約内容情報ＹＪａを生成する。予約情報生成部４２は、予約内容情報ＹＪａを生成すると、この予約内容情報ＹＪａと制御部４０から与えられた予約特典情報ＹＪｂとから予約情報ＹＪを生成（すなわち発行）し、発行した予約情報ＹＪを提供側通信部４８に送出する。また予約情報生成部４２は、予約情報ＹＪのうちユーザ識別情報と予約識別情報とを識別情報記憶部５０に送出する。
【００５９】
提供側通信部４８は、予約情報生成部４２から与えられた予約情報ＹＪ、制御部４０から与えられた音楽データ、及び制御部４０から与えられた予約通知画面データを通信端末２１に対して送信する。このようにして音楽提供サーバ２２は、通信端末２１から音楽データを購入予約要求されると、課金を行って、音楽データ及び当該音楽データに対応するライセンスデータＬＤのうち、データ量が多い音楽データのみと、音楽データを購入予約したことの証明であり、後に購入予約した音楽データを購入するために発行した予約情報ＹＪと、予約通知画面データとを、通信端末２１に送信する。
【００６０】
また識別情報記憶部５０は、予約情報生成部４２から予約情報ＹＪのうちユーザ識別情報と予約識別情報とが与えられると、与えられたユーザ識別情報により、記憶しているユーザ識別情報を検索し、検索したユーザ識別情報に対して予約識別情報を対応付けて記憶する。このようにして音楽提供サーバ２２は、今回に音楽を購入予約したユーザに対して予約情報ＹＪを発行したことを登録する。
【００６１】
ところで提供側通信部４８は、通信端末２１に対して音楽データ、予約情報ＹＪ及び予約通知画面データを送った結果、通信端末２１から予約音楽購入要求データが送信されると、この予約音楽購入要求データを受信して認証部４４に送信する。認証部４４は、提供側通信部４８から予約音楽購入要求データが与えられると、この予約音楽購入要求データに格納されている予約情報ＹＪに含まれているユーザ識別情報と同じユーザ識別情報を識別情報記憶部５０から検索する。そして認証部４４は、予約情報ＹＪに含まれている予約識別情報と、識別情報記憶部５０に記憶されている検索したユーザ識別情報に対応付けられている予約識別情報とが一致するか否かを判別する。認証部４４は、予約情報ＹＪに含まれている予約識別情報と、識別情報記憶部５０に記憶されている検索したユーザ識別情報に対応付けられている予約識別情報とが一致しない場合には、予約音楽購入要求データに格納されている予約情報ＹＪは、以前にこの音楽提供サーバ２２で発行した正規の予約情報ＹＪではないと判別し、かかる予約情報ＹＪが使用できないことを通知する使用不可通知画面データを生成する。そして認証部４４は、生成した使用不可通知画面データを提供側通信部４８に送出する。提供側通信部４８は、認証部４４から与えられた使用不可通知画面データを通信端末２１に送信する。このようにして音楽提供サーバ２２は、通信端末２１から与えられた予約音楽購入要求データに格納されている予約情報ＹＪが正規の予約情報ＹＪではないと判別した場合には、かかる予約情報ＹＪが使用できないことを通信端末２１に対して通知する。
【００６２】
また認証部４４は、予約情報ＹＪに含まれている予約識別情報と、識別情報記憶部５０に記憶されている検索したユーザ識別情報に対応付けられている予約識別情報とが一致した場合には、予約音楽購入要求データに格納されている予約情報ＹＪは、以前にこの音楽提供サーバ２２で発行した正規の予約情報ＹＪであると判別（すなわち認証）し、予約音楽購入要求データを日時判別部４６に送出する。
【００６３】
日時判別部４６は、認証部４４から予約音楽購入要求データが与えられると、識別情報記憶部５０から、予約音楽購入要求データに格納されている予約情報ＹＪに含まれているコンテンツ識別情報に対応付けられている再生許可開始日時情報を読み出す。そして日時判別部４６は、現在日時と、識別情報記憶部５０から読み出した再生許可開始日時情報が示す再生許可開始日時とを比較する。そして日時判別部４６は、現在日時が再生許可開始日時前である（すなわち、まだ発売日時になっていない）と判別した場合には、発売日時になっていないことを通知する発売日時通知画面データを生成して提供側通信部４８に送出する。提供側通信部４８は、認証部４４から与えられた発売日時通知画面データを通信端末２１に送信する。このようにして音楽提供サーバ２２は、通信端末２１から予約音楽購入要求データ（すなわち予約情報ＹＪ）が与えられたとき、まだ発売日時になっていないと判別した場合には、発売日時になっていないことを通信端末２１に対して通知する。
【００６４】
また日時判別部４６は、現在日時が再生許可開始日時以降である（すなわち、既に発売日時を過ぎている）と判別した場合には、予約音楽購入要求データを制御部４０に送出する。
【００６５】
制御部４０は、認証部４４から予約音楽購入要求データが与えられると、予約音楽購入要求データに格納されている予約情報ＹＪに含まれている課金チェック情報を読み出し、かかる課金チェック情報に既に課金が完了していることが示されていることを確認する。制御部４０は、課金チェック情報に既に課金が完了していることが示されているのを確認したら、データ記憶部４１から、予約音楽購入要求データに格納されている予約情報ＹＪに含まれているコンテンツ識別情報に対応するライセンスデータＬＤを読み出して提供側通信部４８に送出する。そして提供側通信部４８は、制御部４０から与えられたライセンスデータＬＤを通信端末２１に対して送信する。このようにして音楽提供サーバ２２は、購入予約されていた音楽データを予約音楽購入要求されると、当該音楽データに対応するライセンスデータＬＤを通信端末２１に送信する。
【００６６】
このようにして音楽提供サーバ２２は、通信端末２１から発売日時前の音楽データを購入予約要求されると、発売日時前に音楽データを送信し、発売日時以降にライセンスデータＬＤを送信して音楽データの利用を許可することで、当該発売日時以降には、通信端末２１からの購入予約されていた音楽データの購入要求に応じて、あたかも音楽データを提供しているように、その音楽データよりもデータ量の少ないライセンスデータＬＤのみを送信することができ、その結果、発売日時以降に、複数の通信端末２１から音楽データの取得要求が集中しても、これら複数の通信端末２１に対し、あたかも音楽データを提供しているようにして、順次データ量の少ないライセンスデータＬＤのみを短時間で送信することができる。
【００６７】
（２−４）予約特典の提供
次いで、音楽購入システム２０において、通信端末２１と音楽提供サーバ２２との間で音楽データの購入予約が完了したときに、予約情報ＹＪに応じて、音楽データの購入予約から発売日時までの間に、音楽データを購入予約したこと関連して通信端末２１のユーザに提供される関連提供情報（すなわち、音楽を購入予約したこと関連して提供される予約特典）について説明する。
【００６８】
ところで、音楽データの購入予約が完了したとき、通信端末２１の画面データ記憶部３８には、上述したように、音楽提供サーバ２２から与えられた予約通知画面データが記憶される。予約通知画面データは、音楽データの購入予約後から発売日時までの間に、ユーザに操作部３１を介して選択操作されたときに、予約通知画面データに基づく予約通知画面Ｘ２を表示するためのデータである。
【００６９】
ここで、図８を用いて、予約通知画面Ｘ２について説明する。かかる予約通知画面Ｘ２には、例えば『購入予約ありがとうございました』のような文字列等で表現される情報（以下、これを予約完了通知情報と呼ぶ）Ｚ１を表示して、音楽データの購入予約が完了したことを通信端末２１のユーザに通知するようになされている。また予約通知画面Ｘ２には、購入予約した音楽データの音楽タイトルＧＴと、この音楽データの発売日時情報Ｚ２とを表示して、今回に予約購入した音楽データとその発売日時をユーザに確認させるようになされている。さらに予約通知画面Ｘ２には、『関連音楽の紹介』、『割引購入』及び『購入予約した音楽の試聴』等の、音楽を購入予約したことの特典内容を示す情報（以下、これを特典情報と呼ぶ）Ｚ３を表示して、音楽を購入予約したことに対する特典があることと、その特典内容とをユーザに通知できるようになされている。さらに予約通知画面Ｘ２には、関連音楽データをユーザに紹介する関連音楽紹介画面用の関連音楽紹介画面データを、音楽提供サーバ２２から取得するためのボタン（以下、これを関連画面取得ボタンと呼ぶ）ＧＢが表示されている。この関連画面取得ボタンＧＢには、例えば『関連音楽を割引で購入する』のような文字列で表現される情報が記載されており、購入予約した音楽データの関連音楽データがあることと、この関連音楽データを割引価格で購入できることを通信端末２１のユーザに通知するようになされている。さらに予約通知画面Ｘ２には、購入予約を行った音楽データの一部だけを試聴可能な試聴データをユーザに試聴させる試聴画面用の試聴画面データを、音楽提供サーバ２２から取得するためのボタン（以下、これを試聴画面取得ボタンと呼ぶ）ＳＢが表示されている。この試聴画面取得ボタンＳＢには、例えば『予約した音楽を試聴する』のような文字列で表現される情報が記載されており、購入予約した音楽データの一部だけを試聴できることを通信端末２１のユーザに通知するようになされている。
【００７０】
ところで予約通知画面データには、通信端末２１の予約情報記憶部３６に記憶されている、対応する予約情報ＹＪの予約特典情報ＹＪｂ（すなわち、関連画面取得先情報、試聴画面取得先情報及び購入割引情報）が埋め込まれるようになされている。そして予約通知画面Ｘ２において特典情報Ｚ３は、予約通知画面データに埋め込まれた関連画面取得先情報、試聴画面取得先情報及び購入割引情報が示す情報を表示するようになされている。また予約通知画面Ｘ２において関連画面取得ボタンＧＢには、予約通知画面データに埋め込まれた関連画面取得先情報が割り当てられるようになされている。さらに予約通知画面Ｘ２において試聴画面取得ボタンＳＢには、予約通知画面データに埋め込まれた試聴画面取得先情報が割り当てられるようになされている。
【００７１】
これにより制御部３０は、ユーザにより操作部３１を介して予約通知画面データが選択操作されて、予約通知画面Ｘ２の表示が要求されると、表示が要求された予約通知画面データを画面データ記憶部３８から読み出す。また制御部３０は、予約情報記憶部３６から、予約通知画面データに付加されているコンテンツ識別情報に対応する予約情報ＹＪを読み出す。そして制御部３０は、予約通知画面データ及び予約情報ＹＪを日時判別部３７に送出する。
【００７２】
日時判別部３７は、制御部３０から予約通知画面データ及び予約情報ＹＪが与えられると、予約情報ＹＪに含まれている少なくとも１つの関連画面取得先情報（図６）のうち、現在日時を含む発売前期間の関連画面取得先情報を読み出す。また、日時判別部３７は、予約情報記憶部３６から予約通知画面データ及び予約情報ＹＪが与えられると、予約情報ＹＪに含まれている少なくとも１つの試聴画面取得先情報のうち、現在日時を含む発売前期間の関連画面取得先情報を読み出す。さらに日時判別部３７は、予約情報記憶部３６から予約通知画面データ及び予約情報ＹＪが与えられると、予約情報ＹＪに含まれている購入割引情報を読み出す。そして日時判別部３７は、予約通知画面データ、読み出した関連画面取得先情報、読み出した試聴画面取得先情報、及び読み出した購入割引情報を表示部３５に送出する。
【００７３】
表示部３５は、日時判別部３７から予約通知画面データ、関連画面取得先情報、試聴画面取得先情報、及び購入割引情報が与えられると、予約通知画面データにデジタルアナログ変換処理等を施すと共に、関連画面取得先情報、試聴画面取得先情報及び購入割引情報を埋め込むようにして、予約通知画面データに基づく予約通知画面Ｘ２（図８）を表示する。このようにして通信端末２１は、ユーザにより予約通知画面データが選択操作されたときに、予約通知画面データに基づく予約通知画面Ｘ２を表示することで、予約が完了したことを通知できると共に、予約特典があることを通知できる。
【００７４】
制御部３０は、表示部３５により予約通知画面Ｘ２が表示された結果、この予約通知画面Ｘ２を確認したユーザにより、操作部３１を介して予約通知画面Ｘ２上の関連画面取得ボタンＧＢが選択されて、関連音楽紹介画面用の関連音楽紹介画面データを取得する要求（以下、これを関連画面取得要求と呼ぶ）が入力されると、音楽提供サーバ２２に対して関連画面取得要求する信号（以下、これを関連画面取得要求信号と呼ぶ）を生成して取得側通信部３３に送出する。また制御部３０は、操作部３１を介して関連画面取得要求が入力されると、予約通知画面Ｘ２上の関連画面取得ボタンＧＢに割り当てられている関連画面取得先情報を表示部３５から取得して取得側通信部３３に送出する。取得側通信部３３は、制御部３０から与えられた関連画面取得先情報に応じて音楽提供サーバ２２にアクセスして関連画面取得要求信号を送信する。このようにして通信端末２１は、購入予約した音楽データの関連音楽データを紹介する関連音楽紹介画面用の関連画面取得要求信号を、音楽提供サーバ２２に対して要求する。
【００７５】
ここで、音楽提供サーバ２２の制御部４０は、購入予約した音楽データの関連音楽データを紹介する関連音楽紹介画面の表示用の関連音楽紹介画面データを、かかる音楽データのコンテンツ識別情報に対応付けて、音楽データ毎に関連提供情報記憶部４５に予め記憶している。この関連音楽紹介画面データは、発売前期間毎に用意されており、発売前期間によって、異なる関連音楽を紹介できるようになされている。また制御部４０は、購入予約した音楽データの一部だけを試聴させる試聴画面の表示用の試聴画面データを、かかる音楽データのコンテンツ識別情報に対応付けて、音楽データ毎に関連提供情報記憶部４５に予め記憶している。この試聴画面データは、発売前期間毎に用意されており、発売前期間によって、音楽データのうちの異なる部分を試聴可能な試聴データを試聴できるようになされている。
【００７６】
これにより、音楽提供サーバ２２において提供側通信部４８は、関連画面取得先情報に応じて通信端末２１からアクセスされた結果、この通信端末２１から関連画面取得要求信号を受信すると、受信した関連画面取得要求信号を制御部４０に送出する。制御部４０は、提供側通信部４８から関連画面取得要求信号が与えられると、関連提供情報記憶部４５から、関連画面取得先情報が示す関連音楽紹介画面データを読み出して提供側通信部４８に送出する。そして提供側通信部４８は、制御部４０から与えられた関連音楽紹介画面データを通信端末２１に返信する。このようにして音楽提供サーバ２２は、通信端末２１から関連音楽紹介画面データを要求されると、要求された関連音楽紹介画面データを通信端末２１に提供する。
【００７７】
通信端末２１の取得側通信部３３は、関連画面取得要求信号を音楽提供サーバ２２に送信した結果、この音楽提供サーバ２２から返信される関連音楽紹介画面データを受信して表示部３５に送出する。表示部３５は、取得側通信部３３から与えられた関連音楽紹介画面データに基づく関連音楽紹介画面を表示する。
【００７８】
このように通信端末２１は、ユーザからの要求に応じて予約通知画面Ｘ２を表示した結果、予約通知画面Ｘ２上の関連画面取得ボタンＧＢが選択操作されると、音楽提供サーバ２２から関連音楽紹介画面データを取得する。そして通信端末２１は、音楽提供サーバ２２から取得した関連音楽紹介画面データに基づく関連音楽紹介画面を表示することで、購入予約した音楽データの関連音楽データをユーザに紹介できる。従って通信端末２１は、音楽データの購入予約をきっかけにして例えば「購入予約した音楽データの関連音楽データがあったら知りたい」と所望したユーザに対して、購入予約した音楽データの関連音楽データを検索させるといった煩雑な操作をさせることなく、予約通知画面Ｘ２を表示させて関連画面取得ボタンＧＢを選択させるだけで、購入予約した音楽データの関連音楽データを容易に教えることができる。
【００７９】
また通信端末２１は、予約情報ＹＪに応じて、予約通知画面Ｘ２上の関連画面取得ボタンＧＢに割り当てる関連画面取得先情報を、予め設定された発売前期間に応じて変えるようになされている。従って通信端末２１は、発売前期間応じて異なる関連音楽データを紹介する関連音楽紹介画面Ｘ３をユーザに表示することができ、発売日時までの間、同じ関連音楽データしかユーザに紹介しない場合に比して、ユーザを飽きさせないようにできる。
【００８０】
ここで、図９を用いて、通信端末２１の表示部３５に表示される関連音楽紹介画面Ｘ３の一例を説明する。この関連音楽紹介画面Ｘ３には、今回に購入予約した音楽データの関連音楽データの音楽タイトルＧＴが少なくとも１つ表示される。この関連音楽紹介画面Ｘ３において、各音楽タイトルＧＴの右側には、この関連音楽データを購入するための購入ボタンＫＢと、関連音楽データを割引いた価格で購入（以下、これを割引購入と呼ぶ）するか否かをチェックするチェックボックスＣＢが表示される。
【００８１】
ところで、関連音楽紹介画面データには、関連音楽データの購入をユーザに確認させるための購入画面用の購入画面データの購入画面取得先情報が予め埋め込まれている。また、関連音楽紹介画面データには、関連音楽データの割引購入をユーザに確認させるための画面（以下、これを割引購入画面と呼ぶ）用のデータ（以下、これを割引購入画面データと呼ぶ）を取得するための接続先情報（以下、これを割引購入画面取得先情報と呼ぶ）が予め埋め込まれている。
【００８２】
また、関連音楽紹介画面Ｘ３において購入ボタンＫＢには、チェックボックスＣＢがチェックされていない場合には、購入画面取得先情報が割り当てられるようになされている。さらに購入ボタンＫＢには、チェックボックスＣＢがチェックされている場合には、割引購入画面取得先情報が割り当てられるようになされている。すなわち購入ボタンＫＢには、チェックボックスＣＢのチェックの有無に応じて、購入画面取得先情報と割引購入画面取得先情報とが交互に割り当てられるようになされている。
【００８３】
これにより通信端末２１の制御部３０は、ユーザにより操作部３１を介して関連音楽紹介画面Ｘ３上の音楽タイトルＧＴのチェックボックスＣＢがチェックされた上で、このチェックボックスＣＢに対応する購入ボタンＫＢが選択操作されることで音楽タイトルＧＴに対応する関連音楽データが選択され、この選択された関連音楽データを割引いた価格で購入する要求（以下、これを割引購入要求と呼ぶ）が入力されると、表示部３５の関連音楽紹介画面データから、選択された関連音楽データの割引購入画面取得先情報を取得する。制御部３０は、表示部３５から割引購入画面取得先情報を取得すると、割引購入要求する信号（以下、これを割引購入要求信号と呼ぶ）を生成し、割引購入画面取得先情報と共に取得側通信部３３に対して送出する。取得側通信部３３は、制御部３０から割引購入画面取得先情報と割引購入要求信号とが与えられると、割引購入画面取得先情報に応じて音楽提供サーバ２２にアクセスして割引購入要求信号を送信する。このようにして通信端末２１は、音楽提供サーバ２２に対し、購入予約した音楽データの関連音楽データを割引購入要求する。
【００８４】
ここで、音楽提供サーバ２２の制御部４０は、発売中の関連音楽データの割引購入をユーザに確認させるための割引購入画面の表示用の割引購入画面データを、音楽データ毎に購入画面記憶部４７に予め記憶している。また、割引購入画面データには、割引購入する関連音楽データのコンテンツ識別情報が埋め込まれている。
【００８５】
これにより、音楽提供サーバ２２において提供側通信部４８は、割引購入画面取得先情報に応じて通信端末２１からアクセスされた結果、この通信端末２１から割引購入要求信号を受信すると、受信した割引購入要求信号を制御部４０に送出する。制御部４０は、提供側通信部４８から割引購入要求信号が与えられると、割引購入画面取得先情報が示す割引購入画面データを購入画面記憶部４７から読み出して提供側通信部４８に送出する。そして提供側通信部４８は、制御部４０から与えられた割引購入画面データを通信端末２１に返信する。このようにして音楽提供サーバ２２は、通信端末２１から割引購入画面データを要求されると、要求された割引購入画面データを通信端末２１に提供する。
【００８６】
通信端末２１の取得側通信部３３は、割引購入要求信号を音楽提供サーバ２２に送信した結果、この音楽提供サーバ２２から返信される割引購入画面データを受信して表示部３５に送出する。表示部３５は、取得側通信部３３から与えられた割引購入画面データに基づく割引購入画面を表示する。このようにして通信端末２１は、音楽提供サーバ２２から取得した割引購入画面データに基づく割引購入画面を表示部３５に表示することで、ユーザに対し、選択した関連音楽データの割引購入を確認させることができる。
【００８７】
制御部３０は、関連音楽データを割引購入することを確定したユーザにより操作部３１を介して課金情報が入力されて、割引購入画面が示す関連音楽データの割引購入に関する処理の要求（以下、これを割引購入処理要求と呼ぶ）が入力されると、表示部３５の割引購入画面データから割引購入する関連音楽データのコンテンツ識別情報を取得する。また制御部３０は、ユーザにより操作部３１を介して割引購入処理要求が入力されると、ユーザ情報記憶部３９からユーザ識別情報を読み出す。さらに制御部３０は、ユーザにより操作部３１を介して割引購入処理要求が入力されると、予約情報記憶部３６から、予約通知画面データに付加されていたコンテンツ識別情報（すなわち、購入予約した音楽データのコンテンツ識別情報）に対応する予約情報ＹＪを読み出す。制御部３０は、割引購入処理要求が入力された結果、予約情報記憶部３６から予約情報ＹＪを読み出すと、この予約情報ＹＪに含まれる購入割引情報の割引回数を１回減らすように予約情報ＹＪを更新する。制御部３０は、更新した予約情報ＹＪを予約情報記憶部３６に送出する。そして予約情報記憶部３６は、制御部３０から更新した予約情報ＹＪが与えられると、元の予約情報ＹＪに上書きする。このようにして通信端末２１は、関連音楽データを割引購入するとき、予約情報ＹＪに含まれる購入割引情報の割引回数を減らすことができる。
【００８８】
制御部３０は、予約情報ＹＪを更新すると、表示部３５から取得した、割引購入する関連音楽データのコンテンツ識別情報と、ユーザ情報記憶部３９から取得したユーザ識別情報と、操作部３１で入力された課金情報とを格納するようにして割引購入処理要求データを生成し、生成した割引購入処理要求データを取得側通信部３３に送出する。取得側通信部３３は、制御部３０から割引購入処理要求データが与えられると、この割引購入処理要求データを音楽提供サーバ２２に送信する。
【００８９】
音楽提供サーバ２２の提供側通信部４８は、通信端末２１から割引購入処理要求データが送信されると、この割引購入処理要求データを受信して認証部４４に送出する。認証部４４は、提供側通信部４８から割引購入処理要求データが与えられると、この割引購入処理要求データに格納されているユーザ識別情報と同じユーザ識別情報を識別情報記憶部５０に記憶しているか否かを検索し、かかるユーザ識別情報を記憶していることに応じて、ユーザ識別情報に対応するユーザが既に登録されていることを認証したら、割引購入処理要求データを制御部４０に送出する。制御部４０は、認証部４４から割引購入処理要求データが与えられると、この割引購入処理要求データに格納されている課金情報に応じた課金を行う。そして制御部４０は、課金の完了後、割引購入処理要求データに格納されているコンテンツ識別情報に対応する音楽データ（すなわち関連音楽データ）とライセンスデータＬＤとをデータ記憶部４１から読み出して提供側通信部４８に送出する。そして提供側通信部４８は、データ記憶部４１から与えられた音楽データとライセンスデータＬＤとを通信端末２１に対して送信する。このようにして音楽提供サーバ２２は、通信端末２１から関連音楽データを割引購入処理要求されると、割引価格に応じた課金を行って、関連音楽データとライセンスデータＬＤとを通信端末２１に提供することができる。
【００９０】
通信端末２１の取得側通信部３３は、音楽提供サーバ２２から関連音楽データとライセンスデータＬＤとが送信されると、この関連音楽データとライセンスデータＬＤとを受信してデータ記憶部４１に送出する。データ記憶部４１は、取得側通信部３３から関連音楽データとライセンスデータＬＤとが与えられると、この関連音楽データとライセンスデータＬＤとを記憶する。
【００９１】
このように通信端末２１は、ユーザからの要求に応じて関連音楽紹介画面Ｘ３を表示した結果、関連音楽データを割引購入要求されると、予約情報ＹＪに含まれる購入割引情報に応じて、音楽提供サーバ２２から関連音楽データを割引価格で購入することができる。従って通信端末２１は、例えば「関連音楽データを購入したい」と所望したユーザに対して、関連音楽データを購入するときに、予約情報ＹＪに応じた割引価格で購入させることができる。
【００９２】
ところで通信端末２１の制御部３０は、表示部３５により予約通知画面Ｘ２が表示された結果、この予約通知画面Ｘ２を確認したユーザにより、操作部３１を介して予約通知画面Ｘ２上の試聴画面取得ボタンＳＢが選択されて、試聴画面用の試聴画面データを取得する要求（以下、これを試聴画面取得要求と呼ぶ）が入力されると、音楽提供サーバ２２に対して試聴画面取得要求する信号（以下、これを試聴画面取得要求信号と呼ぶ）を生成して取得側通信部３３に送出する。また制御部３０は、操作部３１を介して試聴画面取得要求が入力されると、予約通知画面Ｘ２上の試聴画面取得ボタンＳＢに割り当てられている試聴画面取得先情報を表示部３５から取得して取得側通信部３３に送出する。取得側通信部３３は、制御部３０から与えられた試聴画面取得先情報に応じて音楽提供サーバ２２にアクセスして、制御部３０から与えられた試聴画面取得要求信号を送信する。このようにして通信端末２１は、購入予約した音楽データの一部だけを試聴させる試聴画面の試聴画面データの取得を要求する試聴画面取得要求信号を、音楽提供サーバ２２に対して送信する。
【００９３】
音楽提供サーバ２２において提供側通信部４８は、試聴画面取得先情報に応じて通信端末２１からアクセスされた結果、この通信端末２１から試聴画面取得要求信号を受信すると、受信した試聴画面取得要求信号を制御部４０に送出する。制御部４０は、提供側通信部４８から試聴画面取得要求信号が与えられると、関連提供情報記憶部４５から、試聴画面取得先情報が示す試聴画面データを読み出して提供側通信部４８に送出する。そして提供側通信部４８は、制御部４０から与えられた試聴画面データを通信端末２１に返信する。このようにして音楽提供サーバ２２は、通信端末２１から試聴画面データを要求されると、要求された試聴画面データを通信端末２１に提供する。
【００９４】
通信端末２１の取得側通信部３３は、試聴画面取得要求信号を音楽提供サーバ２２に送信した結果、この音楽提供サーバ２２から返信される試聴画面データを受信して表示部３５に送出する。表示部３５は、取得側通信部３３から与えられた試聴画面データに基づく試聴画面を表示する。
【００９５】
このように通信端末２１は、ユーザからの要求に応じて予約通知画面Ｘ２を表示した結果、予約通知画面Ｘ２上の試聴画面取得ボタンＳＢが選択操作されると、音楽提供サーバ２２から試聴画面データを取得する。そして通信端末２１は、音楽提供サーバ２２から取得した試聴画面データに基づく試聴画面を表示することで、購入予約した音楽の一部だけを試聴できることをユーザに通知できる。
【００９６】
ここで、図１０を用いて、通信端末２１の表示部３５に表示される試聴画面Ｘ４の一例を説明する。この試聴画面Ｘ４には、購入予約した音楽データの音楽タイトルＧＴと、当該音楽タイトルＧＴの右側には、購入予約した音楽データの一部だけを試聴できる試聴ボタンＤＢとが表示される。
【００９７】
ところで、試聴画面データには、試聴データを取得するための接続先情報（以下、これを試聴データ取得先情報と呼ぶ）が予め埋め込まれている。
【００９８】
また、試聴画面Ｘ４において試聴ボタンＤＢには、試聴データ取得先情報が割り当てられるようになされている。
【００９９】
これにより制御部３０は、ユーザにより操作部３１を介して試聴画面Ｘ４上の試聴ボタンＤＢが選択操作され、この選択した試聴ボタンＤＢの示す試聴データを取得する要求（以下、これを試聴データ取得要求と呼ぶ）が入力されると、表示部３５の試聴画面データから、試聴データ取得先情報を取得する。制御部３０は、表示部３５から試聴データ取得先情報を取得すると、試聴データ取得要求する信号（以下、これを試聴データ取得要求信号と呼ぶ）を生成し、試聴データ取得先情報と共に取得側通信部３３に対して送出する。取得側通信部３３は、制御部３０から試聴データ取得先情報と試聴データ取得要求信号とが与えられると、試聴データ取得先情報に応じて音楽提供サーバ２２にアクセスして試聴データ取得要求信号を送信する。このようにして通信端末２１は、音楽提供サーバ２２に対し、購入予約した音楽の試聴データの取得を要求する。
【０１００】
ここで、音楽提供サーバ２２の制御部４０は、音楽データ毎の試聴データを関連提供情報記憶部４５に予め記憶している。この試聴データは、再生するのにライセンスデータは必要無く、当該試聴データだけで、音楽データをライセンスデータＬＤにより再生する場合よりも悪い音質で、音楽データの一部のみを再生できるようになされている。また試聴データは、予め設定された発売前期間毎に用意されており、発売前期間によって、音楽データのうちの異なる部分を試聴させられるようになされている。
【０１０１】
これにより、音楽提供サーバ２２において提供側通信部４８は、試聴データ取得先情報に応じて通信端末２１からアクセスされた結果、この通信端末２１から試聴データ取得要求信号を受信すると、受信した試聴データ取得要求信号を試聴データ取得先情報に応じて制御部４０に送出する。制御部４０は、提供側通信部４８から試聴データ取得要求信号が与えられると、試聴データ取得先情報が示す試聴データを関連提供情報記憶部４５から読み出して提供側通信部４８に送出する。そして提供側通信部４８は、制御部４０から与えられた試聴データを通信端末２１に返信する。このようにして音楽提供サーバ２２は、通信端末２１から試聴データを要求されると、要求された試聴データを通信端末２１に提供することができる。
【０１０２】
通信端末２１の取得側通信部３３は、音楽提供サーバ２２から試聴データが送信されると、この試聴データを受信して再生部３４に送出する。再生部３４は、取得側通信部３３から試聴データが与えられると、この試聴データを再生してユーザに試聴させる。
【０１０３】
このように通信端末２１は、ユーザからの要求に応じて試聴画面Ｘ４を表示した結果、試聴データ取得要求されると、予約情報ＹＪに含まれる購入割引情報に応じて、音楽提供サーバ２２から試聴データを取得してユーザに試聴させることができる。従って通信端末２１は、発売前の音楽データを購入予約したユーザに対して、発売日時までの間に、かかる音楽データを試聴させることができ、その結果、ユーザを楽しませることができる。
【０１０４】
また通信端末２１は、予約情報ＹＪに応じて、予約通知画面Ｘ２上の関連画面取得ボタンＧＢに割り当てる関連画面取得先情報を、予め設定された発売前期間に応じて変えるようになされている。従って通信端末２１は、発売前期間応じて、音楽データのうちの異なる部分を試聴させる試聴データ再生してユーザに試聴させることができ、発売日時までの間、音楽データのうちの同じ部分しかユーザに試聴させない場合に比して、ユーザを飽きさせないようにできる。
【０１０５】
（２−５）音楽購入システムにおける購入予約処理手順
ここで、音楽購入システム２０の通信端末２１及び音楽提供サーバ２２による購入予約に関する一連の処理の手順（以下、これを購入予約処理手順と呼ぶ）について説明すると、図１１（Ａ）に示すように、まず通信端末２１は、ルーチンＲＴ１の開始ステップから入ってステップＳＰ１に移る。
【０１０６】
ステップＳＰ１において通信端末２１の制御部３０は、操作部３１を介したユーザの入力により、予約画面が示す音楽データの購入予約に関する処理を要求されると、コンテンツ識別情報と、ユーザ識別情報と、課金情報とを格納するようにして予約処理要求データを生成し、この予約処理要求データを取得側通信部３３から音楽提供サーバ２２に送信してステップＳＰ２に移る。
【０１０７】
このとき、図１１（Ｂ）に示すように、音楽提供サーバ２２の制御部４０は、ルーチンＲＴ２の開始ステップから入って続くステップＳＰ１１に移り、当該ステップＳＰ１１において、通信端末２１から送信された予約処理要求データを受信すると、受信した予約処理要求データを用いて予約情報ＹＪを生成してステップＳＰ１２に移る。
【０１０８】
ステップＳＰ１２において音楽提供サーバ２２の制御部４０は、予約処理要求データに格納されているコンテンツ識別情報に対応する音楽データと、生成した予約情報ＹＪとを通信端末２１に送信し、ステップＳＰ１３に移る。
【０１０９】
このとき、通信端末２１の制御部３０は、ステップＳＰ２において、音楽提供サーバ２２から送信された音楽データと予約情報ＹＪとを受信すると、音楽データをデータ記憶部３２に記憶すると共に、予約情報ＹＪを予約情報記憶部３６に記憶し、ステップＳＰ３に移る。
【０１１０】
ステップＳＰ３において通信端末２１の制御部３０は、ユーザにより通信端末２１が起動されたときに、現在日時が予約情報ＹＪに含まれている再生許可開始日時（すなわち発売日時）以降であるか否かを判別する。このステップＳＰ３において肯定結果が得られると、このことは、購入予約した音楽データが、既に発売日時を迎えていることを示している。従ってこのとき制御部３０は、ステップＳＰ４に移る。
【０１１１】
これに対し、ステップＳＰ３において否定結果が得られると、このことは、購入予約した音楽データが、まだ発売日時を迎えていないことを示している。従って、このとき制御部３０は、ステップＳＰ３で肯定結果が得られるまで、かかるステップＳＰ３の処理を繰り返す。
【０１１２】
ステップＳＰ４において通信端末２１の制御部３０は、予約情報ＹＪを格納するようにして生成した予約音楽購入要求データを音楽提供サーバ２２に送信し、ステップＳＰ５に移る。
【０１１３】
このとき、音楽提供サーバ２２の制御部４０は、ステップＳＰ１３において、通信端末２１から与えられた予約音楽購入要求データに格納されている予約情報ＹＪが、自己が以前に発行した正規の予約情報ＹＪであるか否かを判別する。このステップＳＰ１３において否定結果が得られると、このことは、発行した予約情報ＹＪが不正に使用されたことを示している。従って、このとき制御部４０は、ステップＳＰ１４に移る。
【０１１４】
ステップＳＰ１４において音楽提供サーバ２２の制御部４０は、与えられた予約情報ＹＪが使用できないことを通知する使用不可通知画像データを通信端末２１に送信し、ステップＳＰ１８に移る。
【０１１５】
これに対し、ステップＳＰ１３において肯定結果が得られると、このことは、予約情報ＹＪが正しく使用されたことを示している。従って、このとき音楽提供サーバ２２の制御部４０は、ステップＳＰ１５に移る。
【０１１６】
ステップＳＰ１５において音楽提供サーバ２２の制御部４０は、識別情報記憶部５０から、予約音楽購入要求データに格納されている予約情報ＹＪに含まれているコンテンツ識別情報に対応付けられている再生許可開始日時情報を読み出し、現在日時が、識別情報記憶部５０から読み出した再生許可開始日時情報が示す発売日時以降であるか否かを判別する。このステップＳＰ３において否定結果が得られると、このことは、購入予約した音楽データが、まだ発売日時を迎えていないことを示している。従ってこのとき制御部４０は、ステップＳＰ１６に移る。
【０１１７】
ステップＳＰ１６において音楽提供サーバ２２の制御部４０は、購入予約した音楽データがまだ発売日時になっていないことを通知する発売日時通知画像データを通信端末２１に送信し、ステップＳＰ１８に移る。
【０１１８】
これに対し、ステップＳＰ１５において肯定結果が得られると、このことは、購入予約した音楽データが、既に発売日時を迎えていることを示している。従って、このとき音楽提供サーバ２２の制御部４０は、ステップＳＰ１７に移る。
【０１１９】
ステップＳＰ１７において音楽提供サーバ２２の制御部４０は、予約情報ＹＪが示すライセンスデータＬＤを通信端末２１に送信し、続くステップＳＰ１８に移って当該音楽提供サーバ２２の処理を終了する。
【０１２０】
このとき通信端末２１の制御部３０は、ステップＳＰ５において、予約音楽購入要求データを音楽提供サーバ２２に送信した結果、この音楽提供サーバ２２から返信されたのはライセンスデータＬＤであるか否かを判別する。このステップＳＰ５において否定結果が得られると、このことは、使用不可通知画像データ又は発売日時通知画像データを受信したことを表している。従って、このとき制御部３０は、ステップＳＰ７に移る。
【０１２１】
これに対し、ステップＳＰ５において肯定結果が得られると、このことは、購入予約していた音楽データを購入できたことを表している。従って、このとき制御部３０はステップＳＰ６に移る。
【０１２２】
ステップＳＰ６において通信端末２１の制御部３０は、音楽提供サーバ２２から与えられたライセンスデータＬＤをデータ記憶部３２に記憶し、ステップＳＰ７に移って当該通信端末２１の処理を終了する。このようにして携帯通信端末２０は、購入予約処理に関する、通信端末２１及び音楽提供サーバ２２における一連の処理を終了する。
【０１２３】
（２−６）音楽購入システムにおける予約関連提供処理手順
ここで、音楽購入システム２０の通信端末２１及び音楽提供サーバ２２による、音楽データを購入予約したことに関連して予約特典が提供される一連の処理の手順（以下、これを予約関連提供処理手順と呼ぶ）について説明すると、図１２（Ａ）に示すように、まず通信端末２１は、ルーチンＲＴ３の開始ステップから入ってステップＳＰ２１に移る。
【０１２４】
ステップＳＰ２１において通信端末２１の制御部３０は、ユーザにより操作部３１を介して予約通知画面データが選択操作されたことに応じて、予約通知画面Ｘ２を表示してステップＳＰ２２に移る。
【０１２５】
ステップＳＰ２２において通信端末２１の制御部３０は、操作部３１を介して予約通知画面Ｘ２上の関連画面取得ボタンＧＢが選択されたか否かを判別する。このステップＳＰ２２において肯定結果が得られると、このことは、関連音楽紹介画面の表示を要求されたことを示している。従って、このとき制御部３０はステップＳＰ２５に移る。
【０１２６】
ステップＳＰ２５において通信端末２１の制御部３０は、音楽提供サーバ２２に対して関連画面取得要求信号を送信し、ステップＳＰ２６に移る。
【０１２７】
これに対し、ステップＳＰ２２において否定結果が得られると、このことは、予約通知画面Ｘ２上の関連画面取得ボタンＧＢがまだ選択されていないことを表している。従って、このとき制御部３０は、ステップＳＰ２３に移る。
【０１２８】
ステップＳＰ２３において通信端末２１の制御部３０は、操作部３１を介して予約通知画面Ｘ２上の試聴画面取得ボタンＳＢが選択されたか否かを判別する。このステップＳＰ２２において肯定結果が得られると、このことは、試聴画面の表示を要求されたことを示している。従って、このとき制御部３０はステップＳＰ２４に移る。
【０１２９】
ステップＳＰ２４において通信端末２１の制御部３０は、音楽提供サーバ２２に対して試聴画面取得要求信号を送信し、ステップＳＰ２６に移る。
【０１３０】
これに対し、ステップＳＰ２３において否定結果が得られると、このことは、予約通知画面Ｘ２上の関連画面取得ボタンＧＢ及び試聴画面取得ボタンＳＢのどちらも、まだ選択されていないことを表している。従って、このとき制御部３０は、かかるステップＳＰ２２及びステップＳＰ２３のいずれかで肯定結果が得られるまで、上述したステップＳＰ２２及びステップＳＰ２３の処理を繰り返す。
【０１３１】
このとき、図１２（Ｂ）に示すように、音楽提供サーバ２２の制御部４０は、ルーチンＲＴ４の開始ステップから入って続くステップＳＰ３１に移り、当該ステップＳＰ３１において、通信端末２１から与えられたのは、試聴画面取得要求信号であるか否かを判別する。このステップＳＰ３１で肯定結果が得られると、このことは、通信端末２１のユーザが試聴画面Ｘ４の表示を要求していることを表している。従って、このとき制御部４０は、ステップＳＰ３２に移る。
【０１３２】
ステップＳＰ３２において音楽提供サーバ２２の制御部４０は、試聴画面取得要求信号を受信したことに応じて、試聴画面データを通信端末２１に送信し、ステップＳＰ３４に移る。
【０１３３】
これに対し、ステップＳＰ３１で否定結果が得られると、このことは、通信端末２１から受信したのは関連画面取得要求信号であり、通信端末２１のユーザが関連音楽紹介画面Ｘ３の表示を要求していることを表している。従って、このとき制御部４０は、ステップＳＰ３３に移る。
【０１３４】
ステップＳＰ３３において音楽提供サーバ２２の制御部４０は、関連画面取得要求信号を受信したことに応じて、関連音楽紹介画面データを通信端末２１に送信し、続くステップＳＰ３４に移って当該音楽提供サーバ２２の処理を終了する。
【０１３５】
このとき通信端末２１の制御部３０は、ステップＳＰ２６において、音楽提供サーバ２２に対して関連画面取得要求信号または試聴画面取得要求信号を送信した結果、この音楽提供サーバ２２から与えられたのが試聴画面データであるか否かを判別する。このステップＳＰ２６において肯定結果が得られると、このことは、音楽提供サーバ２２から試聴画面データを受信したことを表している。従って、このとき制御部３０はステップＳＰ２７に移る。
【０１３６】
ステップＳＰ２７において通信端末２１の制御部３０は、試聴画面データに基づく試聴画面Ｘ４を表示し、ステップＳＰ２９に移る。
【０１３７】
これに対し、ステップＳＰ２６において否定結果が得られると、このことは、音楽提供サーバ２２から関連音楽紹介画面データを受信したことを表している。従って、このとき制御部３０はステップＳＰ２８に移る。
【０１３８】
ステップＳＰ２８において通信端末２１の制御部３０は、関連音楽紹介画面データに基づく関連音楽紹介画面Ｘ３を表示し、続くステップＳＰ２９に移って当該音楽提供サーバ２２の処理を終了する。このようにして携帯通信端末２０は、予約関連提供処理に関する、通信端末２１及び音楽提供サーバ２２における一連の処理を終了する。
【０１３９】
（２−７）第１の実施の形態の動作及び効果
以上の構成において、音楽購入システム２０において音楽提供サーバ２２は、通信端末２１から、発売日時前の音楽データを購入予約要求されると、通信端末２１に対して、ライセンスデータＬＤに比してデータ量が多く、またそのままでは利用できない音楽データと、購入予約された音楽データを発売日時以降に購入するための予約情報ＹＪとを、当該音楽の発売日時前に予め送信する。また音楽提供サーバ２２は、音楽データの発売日時以降になったときに、通信端末２１から、予約情報ＹＪに応じ、購入予約されていた音楽データの購入が要求されると、通信端末２１に対して、音楽データに比してデータ量の少ないライセンスデータＬＤのみを送信することで、通信端末２１に記憶されている音楽データの利用を許可する。
【０１４０】
さらに音楽購入システム２０において通信端末２１は、発売日時前に音楽データを購入予約したときに、音楽提供サーバ２２から、またそのままでは利用できない音楽データと、購入予約した音楽データを発売日時以降に購入するための予約情報ＹＪとを受信する。さらに通信端末２１は、音楽データの発売日時以降になると、予約情報ＹＪに応じ、購入予約していた音楽データの購入を要求することで、音楽に対応するライセンスデータＬＤを受信する。
【０１４１】
従って音楽提供サーバ２２は、通信端末２１から発売日時前の音楽データを購入予約要求されると、発売日時前に音楽データを送信し、発売日時以降にライセンスデータＬＤを送信して音楽データの利用を許可することで、当該発売日時以降には、通信端末２１からの購入予約されていた音楽データの購入要求に応じて、あたかも音楽データを提供しているように、その音楽データよりもデータ量の少ないライセンスデータＬＤのみを送信することができ、その結果、発売日時以降に、複数の通信端末２１から音楽データの取得要求が集中しても、これら複数の通信端末２１に対し、あたかも音楽データを提供しているようにして、順次データ量の少ないライセンスデータＬＤのみを短時間で送信することができ、その結果、音楽データを迅速に提供し得る。
【０１４２】
また音楽購入システム２０において音楽提供サーバ２２は、通信端末２１から、発売日時前の音楽データを購入予約要求されると、購入予約したことに関連して提供できる予約特典情報ＹＪｂを含むように予約情報ＹＪを生成して通信端末２１に提供する。
【０１４３】
さらに音楽購入システム２０において通信端末２１は、予約情報ＹＪが与えられると、発売日時までの間にユーザが所望したときに、かかる予約情報ＹＪに含まれる予約特典情報ＹＪｂに応じた予約特典を、音楽提供サーバ２２に要求する。
【０１４４】
従って音楽提供サーバ２２は、通信端末２１から、予約情報ＹＪに含まれる予約特典情報ＹＪｂに応じた予約特典が要求されると、この予約特典を通信端末２１に提供できる。また通信端末２１は、音楽提供サーバ２２から与えられる予約特典をユーザに提供できる。かくして、音楽購入システム２０では、音楽を購入予約した通信端末２１のユーザを、発売日時までの間に飽きさせてしまうといったことを回避できる。
【０１４５】
さらに音楽購入システム２０の通信端末２１は、ユーザからの要求に応じて予約通知画面Ｘ２を表示したときに、予約通知画面Ｘ２上の関連画面取得ボタンＧＢが選択操作されると、音楽提供サーバ２２から関連音楽紹介画面データを取得し、かかる関連音楽紹介画面データに基づく関連音楽紹介画面を表示して、購入予約した音楽データの関連音楽データをユーザに紹介するようにした。
【０１４６】
従って通信端末２１は、音楽データの購入予約をきっかけにして例えば「購入予約した音楽データの関連音楽データがあったら知りたい」と所望したユーザに対して、購入予約した音楽データの関連音楽データを検索させるといった煩雑な操作をさせることなく、予約通知画面Ｘ２上の関連画面取得ボタンＧＢを選択させるだけで、購入予約した音楽データの関連音楽データを容易に教えることができる。
【０１４７】
さらに音楽購入システム２０の通信端末２１は、ユーザからの要求に応じて関連音楽紹介画面Ｘ３を表示したときに、関連音楽データを割引購入要求されると、予約情報ＹＪの予約特典情報ＹＪｂに含まれる購入割引情報に応じて、音楽提供サーバ２２から関連音楽データを割引価格で購入できるようにした。
【０１４８】
従って通信端末２１は、例えば「音楽データ関連音楽データを購入したい」と所望したユーザに対して、関連音楽データを購入するときに、予約情報ＹＪに応じた割引価格で関連音楽データを購入させることができる。
【０１４９】
さらに音楽購入システム２０の通信端末２１は、ユーザからの要求に応じて予約通知画面Ｘ２を表示したときに、予約通知画面Ｘ２上の試聴画面取得ボタンＳＢが選択操作されると、音楽提供サーバ２２から試聴画面データを取得し、この試聴画面データに基づく試聴画面Ｘ４を表示して、購入予約した音楽の一部だけを試聴できることをユーザに紹介するようにした。また通信端末２１は、試聴画面Ｘ４を表示したけ結果、試聴が要求されると、音楽提供サーバ２２から取得した試聴データを再生してユーザに試聴させるようにした。
【０１５０】
従って通信端末２１は、発売前の音楽データを購入予約したユーザに対して、発売日時までの間に、かかる音楽データの一部を試聴させることができ、その結果、ユーザを楽しませることができる。
【０１５１】
以上の構成によれば、コンテンツデータとしての音楽データを提供する音楽提供サーバ２２と、当該音楽提供サーバ２２の提供する音楽データを購入する通信端末２１とから構築される音楽購入システム２０において、音楽提供サーバ２２は、音楽データの発売日時前に、通信端末２１から、当該音楽データの購入予約に関する処理を要求する予約処理要求データが送信されると、当該予約処理要求データを受信し、予約処理要求データを受信すると、通信端末２１に対し、音楽データ、及び当該音楽データのデータ量よりも少ないデータ量で発売日時から音楽データの再生を許可するライセンスデータＬＤのうち当該音楽データと、購入の予約を受け付けたこと及び発売日時を示す予約情報ＹＪとを送信し、音楽データと予約情報ＹＪとを通信端末２１に送信した結果、当該通信端末２１から、発売日時以降に、購入が予約されていた音楽データの購入を要求する予約音楽購入要求データが送信されると、当該予約音楽購入要求データを受信し、予約音楽購入要求データを受信すると、通信端末２１に対し、ライセンスデータＬＤを送信するようにした。また通信端末２１は、音楽データの発売日時前に、音楽提供サーバ２２に対して予約処理要求データを送信し、予約処理要求データを音楽提供サーバ２２に送信した結果、当該音楽提供サーバ２２から送信される音楽データと予約情報ＹＪとを受信し、受信した予約情報ＹＪに基づいて、発売日時以降に、音楽提供サーバ２２に対して、予約音楽購入要求データを送信し、予約音楽購入要求データを音楽提供サーバ２２に送信した結果、当該音楽提供サーバ２２から送信されるライセンスデータＬＤを受信するようにした。これにより音楽購入システム２０において音楽提供サーバ２２は、通信端末２１から発売日時前の音楽データを購入予約要求されると、発売日時前に音楽データを送信し、発売日時以降にライセンスデータＬＤを送信して音楽データの利用を許可することで、当該発売日時以降には、通信端末２１からの、購入予約されていた音楽データの購入要求に応じて、あたかも音楽データを提供しているように、その音楽データよりもデータ量の少ないライセンスデータＬＤのみを送信することができ、その結果、発売日時以降に、複数の通信端末２１から音楽データの購入要求が集中しても、これら複数の通信端末２１に対し、あたかも音楽データを提供しているようにして、順次データ量の少ないライセンスデータＬＤのみを短時間で送信することができ、かくして、音楽データを迅速に提供し得る。
【０１５２】
（２−８）第１の実施の形態における他の実施の形態
なお上述した第１の実施の形態においては、音楽データ及びライセンスデータＬＤを、音楽提供サーバ２２のデータ記憶部４１に記憶しておくようにした場合について述べたが、本発明はこれに限らず、音楽データ及びライセンスデータＬＤは、それぞれ別の記憶部に記憶するようにしても良いし、コンテンツサーバ等の他のサーバに記憶させるようにしておいて、そこから送信してもらうようにしても良く、音楽データ及びライセンスデータＬＤの記憶及び管理はどのようにしても良い。またライセンスデータＬＤは、予め記憶しておかなくても良く、音楽データを通信端末２１に提供するときにライセンスデータＬＤを生成するようにしても良い。
【０１５３】
また上述した第１の実施の形態においては、予約情報ＹＪを予約情報生成部４２で生成するようにした場合について述べたが、音楽データ毎の予約情報ＹＪを予め生成して記憶するようにしても良い。また、予約情報ＹＪを発行するのは音楽提供サーバ２２でなくても良く、予約購入の処理を仲介するような仲介サーバ等に予約情報ＹＪを発行させるようにしても良い。
【０１５４】
さらに上述した実施の形態においては、予約音楽購入要求データに格納するようにして予約情報ＹＪを音楽提供サーバ２２に送信するようにした場合について述べたが、本発明はこれに限らず、音楽提供サーバ２２において、通信端末２１のユーザが以前に購入予約を行ったか否かを認証できれば良く、予約情報ＹＪのうちの予約内容情報ＹＪａだけを音楽提供サーバ２２に送信するようにしても良いし、予約情報ＹＪに基づいて認証が可能な信号（以下、これを認証可能信号と呼ぶ）を生成して、この認証可能信号を音楽提供サーバ２２に送信するようにしても良い。また、予約情報ＹＪのうちの予約内容情報ＹＪａだけを音楽提供サーバ２２に送信するようにした場合には、残った予約特典情報ＹＪｂを、購入予約した音楽データの発売日時以降にも使えるようにしても良い。さらに、予約情報ＹＪは、音楽提供サーバ２２に送信した結果、通信端末２１に対してライセンスデータＬＤが送信された場合には、通信端末２１に記憶されている予約情報ＹＪをその時点で消去して、後に予約情報ＹＪを悪用されないようにしても良いし、予約情報ＹＪのうちの予約内容情報ＹＪａだけ消去するようにして、残った予約特典情報ＹＪｂを、購入予約した音楽データの発売日時以降にも使えるようにしても良い。
【０１５５】
さらに上述した実施の形態においては、予約情報ＹＪの予約特典情報ＹＪｂには、関連音楽紹介画面データを取得するための関連画面取得先情報を含むようにした場合について述べたが、本発明はこれに限らず、予約情報ＹＪの予約特典情報ＹＪｂに関連音楽紹介画面データを含むようにしても良いし、関連音楽紹介画面データを取得するための関連画面取得先情報を音楽提供サーバ２２から取得するための情報を予約情報ＹＪの予約特典情報ＹＪｂに含むようにしても良い。
【０１５６】
さらに上述した実施の形態においては、予約情報ＹＪの予約特典情報ＹＪｂには、試聴画面データを取得するための試聴画面取得先情報を含むようにした場合について述べたが、本発明はこれに限らず、予約情報ＹＪの予約特典情報ＹＪｂに試聴画面データを含むようにしても良いし、試聴画面データを取得するための試聴画面取得先情報を音楽提供サーバ２２から取得するための情報を予約情報ＹＪの予約特典情報ＹＪｂに含むようにしても良いし、試聴データのダウンロード先を示す情報を含むようにしても良い。また、予約情報ＹＪに対し、購入予約した音楽データの試聴データを格納するようにして予約情報ＹＪと共に通信端末２１に提供するようにしても良い。さらに、予約情報ＹＪの予約特典情報ＹＪｂに対し、予め送信した音楽データの再生を一部だけ許可するような限定的なライセンスデータ（以下、これを限定ライセンスデータと呼ぶ）を含むようにして、この限定ライセンスデータにより、予め送信した音楽データを一部だけ再生してユーザに試聴させるようにしても良い。
【０１５７】
さらに上述した第１の実施の形態においては、通信端末２１は、ユーザにより通信端末２１が起動されたときに、現在日時が予約情報ＹＪの示す発売日時以降であるか否かを判別するようにした場合について述べたが、本発明はこれに限らず、ユーザにより操作部３１を介して発売日時の確認操作が行われたときに判別しても良いし、例えば毎日何時のように、予め設定した日時や時刻に自動で判別するようにしても良いし、常に比較し続けるようにしても良い。
【０１５８】
さらに上述した第１の実施の形態においては、音楽提供サーバ２２は、通信端末２１から発売前の音楽データを購入予約されたときに、通信端末２１に対して、かかる音楽データ及び予約情報ＹＪを送信するようにした場合について述べたが、本発明はこれに限らず、例えば、所定の音楽データの発売とその発売日時とが告知された直後に、多くの通信端末２１から集中して音楽データの購入予約が要求された場合に、音楽データ及び予約情報ＹＪを送信する処理が重複しないように、各通信端末２１に対する音楽データ及び予約情報ＹＪの送信を、発売日時を越えない範囲でスケジューリングするようにしても良く、そうすることで、多くの通信端末２１に対して音楽データ及び予約情報ＹＪをそれぞれまとめて送信しなくて済む分だけ、音楽提供サーバ２２の処理負荷を低減できる。
【０１５９】
さらに上述した第１の実施の形態においては、予約情報ＹＪの予約特典情報ＹＪｂに基づいて予約通知画面Ｘ２を表示することにより、購入予約したことに関連して提供する情報として、購入予約した音楽データの関連音楽データを紹介するようにした場合について述べたが、本発明はこれに限らず、紹介するのは関連商品やイベントであっても良いし、そのとき流行っているお薦めの音楽データや商品を紹介しても良い。つまりは、購入予約した音楽データの発売日時までの間に紹介できるものであれば何を紹介しても良く、そうすることで、発売日時までの間、ユーザを飽きさせないようにできる。
【０１６０】
さらに上述した第１の実施の形態においては、音楽データを購入予約したときに課金を行うようにした場合について述べたが、本発明はこれに限らず、課金を行うのは、予約情報ＹＪに基づいてライセンスデータＬＤを要求されたときであっても良い。
【０１６１】
さらに上述した第１の実施の形態においては、予約情報ＹＪの予約特典情報ＹＪｂに含まれる購入割引情報に基づき、関連音楽データを購入するときに割引購入できるようにした場合について述べたが、本発明はこれに限らず、他の音楽データや商品、または関連するイベントのチケット等の購入時に割引くようにしても良く、予約情報ＹＪの予約特典情報ＹＪｂに含まれる購入割引情報の使用先については特に限定しない。
【０１６２】
さらに上述した第１の実施の形態においては、予約特典情報ＹＪｂに対し、関連画面取得先情報、試聴画面取得先情報及び購入割引情報を含むようにした場合について述べたが、本発明はこれに限らず、発売日までの残り日数を表示できるような複数の画像データを含ませておいて、日毎に順にポップアップ表示してユーザに発売日までの残り日数を通知するようにしても良い。そうすることで、発売日時までの間、ユーザを飽きさせないようにできる。
【０１６３】
さらに上述した第１の実施の形態においては、通信端末２１においてユーザに要求されたときに、予約情報ＹＪの予約特典情報ＹＪｂに含まれる各情報を表示するようにした場合について述べたが、本発明はこれに限らず、通信端末２１が予約情報ＹＪを取得したときや、予め設定された時刻や時間毎に、予約情報ＹＪの予約特典情報ＹＪｂに含まれる各情報を自動で表示するようにしても良い。そうすることで、音楽データを購入予約したことを忘れてしまったユーザに対しても、約情報ＹＪの予約特典情報ＹＪｂに含まれる各情報を提供することができる。
【０１６４】
（３）第２の実施の形態
（３−１）音楽購入システムの構成
図１３において、１００は全体として第２の実施の形態によるコンテンツ提供システム１を適用した音楽購入システムを示す。かかる音楽購入システム１００は、通信端末１０１と音楽提供サーバ１０２とがネットワークＮＴを介して通信可能なようになされている。
【０１６５】
（３−２）第２の実施の形態の通信端末
次に音楽購入システム１００の通信端末１０１のハードウェア回路ブロックによるハードウェア回路構成を説明する。かかる通信端末１０１は、図１４に示すように、中央処理ユニット（CPU:Central Processing Unit ）７０と各ハードウェアとがバス７１を介して接続され、当該中央処理ユニット７０がＲＯＭ（Read Only Memory）７２又はハードディスクドライブ７３から読み出した各種プログラムをＲＡＭ（Random Access Memory）７４で展開して実行することにより全体を統括制御すると共に、各種処理を実行するようになされている。
【０１６６】
中央処理ユニット７０は、例えば通信端末１０１の筐体等に設けられた操作キー７５を介して、音楽提供サーバ１０２において提供されている音楽データを購入するために選択する音楽選択要求が入力されると、音楽選択要求信号を生成して通信処理回路７９により音楽提供サーバ１０２に送信する。中央処理ユニット７０は、音楽選択要求信号を音楽提供サーバ１０２に送信した結果、この音楽提供サーバ１０２から返信される音楽紹介画面データを通信処理回路７９により受信し、受信した音楽紹介画面データを表示処理部７６を介してディスプレイ８０に送出する。これにより中央処理ユニット７０は、ディスプレイ８０において音楽紹介画面データに基づいた音楽紹介画面を表示してユーザに音楽データを紹介することができ、その結果、ユーザに対し、購入する音楽データを選択させることができる。
【０１６７】
中央処理ユニット７０は、ディスプレイ８０において音楽紹介画面を表示した結果、操作キー７５を介して、音楽提供サーバ１０２から音楽データを購入するための操作命令が入力されると、購入要求信号を生成して通信処理回路７９により音楽提供サーバ１０２に送信する。中央処理ユニット７０は、購入要求信号を音楽提供サーバ１０２に送信した結果、この音楽提供サーバ１０２から返信される購入画面データを通信処理回路７９により受信し、受信した購入画面データを表示処理部７６を介してディスプレイ８０に送出する。これにより中央処理ユニット７０は、ディスプレイ８０において購入画面データに基づいた購入画面を表示して、ユーザに対し、選択した音楽データの購入を確認させることができる。
【０１６８】
中央処理ユニット７０は、ディスプレイ８０において購入画面を表示した結果、操作キー７５を介して、購入画面が示す音楽データの購入に関する処理を要求する購入処理要求が入力されると、購入処理要求データを生成して通信処理回路７９により音楽提供サーバ１０２に送信する。中央処理ユニット７０は、購入処理要求データを音楽提供サーバ１０２に送信した結果、この音楽提供サーバ１０２から返信される、要求した音楽データに対応する音楽データ及びライセンスデータＬＤを通信処理回路７９により受信し、受信した音楽データ及びライセンスデータＬＤをハードディスクドライブ７３に送出して記憶する。このようにして中央処理ユニット７０は、ユーザの所望する音楽データを音楽提供サーバ１０２から購入できる。
【０１６９】
そして通信端末１０１の中央処理ユニット７０は、ユーザにより操作キー７５を介してハードディスクドライブ７３内の音楽データが指定され、かつ当該指定された音楽データを再生要求する操作命令が入力されると、これに応じてハードディスクドライブ７３から、当該指定された音楽データと、この音楽データに対応するライセンスデータＬＤとを読み出す。また中央処理ユニット７０は、そのハードディスクドライブ７３から読み出した音楽データに対し、ライセンスデータＬＤによりデータ処理部７７で所定の再生処理を施した後、スピーカ７８に送出する、これにより中央処理ユニット７０は、スピーカ７８から、ハードディスクドライブ７３に記憶していた音楽データに基づく音楽を出力してユーザに聴かせることができる。
【０１７０】
ところで通信端末１０１は、上述したように基本的には中央処理ユニット７０がＲＯＭ７２に記憶された各種プログラムに従って各種処理を実行すると共に各ハードウェアを制御している。このため通信端末１０１では、図３について上述した機能回路ブロックによるハードウェア構成の通信端末２１の機能に応じて、ＲＯＭ７２に記憶させる各種プログラムを、上述した音楽データの購入に関する各種処理を実行させるための通信プログラムのように適宜選定することにより、中央処理ユニット７０を上述した制御部３０及び日時判別部３７と同様に機能させることができる。
【０１７１】
また通信端末１０１では、操作キー７５を、上述した操作部３１（図３）と同様に機能させることができると共に、ＲＡＭ７４又はハードディスクドライブ７３を、上述したデータ記憶部３２、予約情報記憶部３６、画面データ記憶部３８及びユーザ情報記憶部３９（図３）と同様に機能させることができる。さらに通信端末１０１では、通信処理回路７９を、上述した取得側通信部３３（図３）と同様に機能させることができる。さらに通信端末１０１では、表示処理部７６及びディスプレイ８０を上述した表示部３５（図３）と同様に機能させることができる。さらに通信端末１０１では、データ処理部７７及びスピーカ７８を、上述した再生部３４（図３）と同様に機能させることができる。
【０１７２】
従って通信端末１０１は、通信端末２１の機能に応じて、ＲＯＭ７２に記憶させる各種プログラムを適宜選定することにより、当該通信端末２１と同様に上述した音楽データの購入に関する各種処理を実行することができ、かくして上述した第１の実施の形態による通信端末２１と同様の効果を得ることができる。
【０１７３】
因みに通信端末１０１については、ＲＯＭ７２に対し予め通信プログラムを記憶していても良いし、通信プログラムが格納されたプログラム格納媒体をインストールするようにしても良い。そして通信プログラムを通信端末１０１にインストールして実行可能な状態にするためのプログラム格納媒体としては、例えばフレキシブルディスク、ＣＤ−ＲＯＭ、ＤＶＤ等のパッケージメディアのみならず、各種プログラムが一時的もしくは永続的に格納される半導体メモリや磁気ディスク等で実現しても良い。また、これらプログラム格納媒体に復号プログラムを格納させる手段としては、ローカルエリアネットワークやインターネット、デジタル衛星放送等の有線及び無線通信媒体を利用しても良く、ルータやモデム等の各種通信インタフェースを介して格納させるようにしても良い。
【０１７４】
（３−３）第２の実施の形態の音楽提供サーバ
次に音楽購入システム１００の音楽提供サーバ１０２のハードウェア回路ブロックによるハードウェア回路構成を説明する。かかる通信端末１０１は、図１５に示すように、中央処理ユニット８２と各ハードウェアとがバス８６を介して接続され、当該中央処理ユニット８２がＲＯＭ８４又はハードディスクドライブ８３から読み出した各種プログラムをＲＡＭ８５で展開して実行することにより全体を統括制御すると共に、各種処理を実行するようになされている。
【０１７５】
ここで中央処理ユニット８２は、音楽提供サーバ１０２で提供可能な音楽データを紹介するための音楽紹介画面データをハードディスクドライブ８３に予め記憶している。
【０１７６】
これにより音楽提供サーバ１０２の中央処理ユニット８２は、通信処理回路８１を介してネットワークＮＴ上の通信端末１０１から通信接続されて、音楽選択要求信号が送信されると、この音楽選択要求信号を通信処理回路８１により受信する。そして中央処理ユニット８２は、受信した音楽選択要求信号に応じて、ハードディスクドライブ８３から音楽紹介画面データを読み出して通信処理回路８１により通信端末２１に送信する。このようにして中央処理ユニット８２は、通信端末１０１から音楽紹介画面データを要求されると、通信端末１０１に対し、要求された音楽紹介画面データを送信できる。
【０１７７】
ここで中央処理ユニット８２は、音楽提供サーバ１０２で提供可能な音楽毎の購入画面データをハードディスクドライブ８３に予め記憶している。
【０１７８】
これにより中央処理ユニット８２は、音楽紹介画面データを通信端末１０１に送信した結果、この通信端末１０１から購入要求信号が送信されると、この購入要求信号を通信処理回路８１により受信する。そして中央処理ユニット８２は、受信した購入要求信号に応じて、ハードディスクドライブ８３から、購入要求された音楽データに対応する購入画面データを読み出して通信処理回路８１により通信端末２１に送信する。このようにして中央処理ユニット８２は、通信端末１０１から購入画面データを要求されると、通信端末１０１に対し、要求された購入画面データを送信できる。
【０１７９】
ここで中央処理ユニット８２は、音楽提供サーバ１０２で提供可能な音楽データに対応する音楽データとライセンスデータＬＤとを、ハードディスクドライブ８３に予め記憶している。
【０１８０】
これにより中央処理ユニット８２は、購入画面データを通信端末１０１に送信した結果、この通信端末１０１から音楽データの購入に関する処理を要求する購入処理要求データが送信されると、この購入処理要求データを通信処理回路８１により受信する。そして中央処理ユニット８２は、受信した購入処理要求データに応じて、ハードディスクドライブ８３から、購入に関する処理を要求された音楽に対応する音楽データとライセンスデータＬＤとを読み出して通信処理回路８１により通信端末２１に送信する。このようにして中央処理ユニット８２は、通信端末１０１から音楽データの購入に関する処理を要求されると、通信端末１０１に対し、購入要求された音楽データに対応する音楽データとライセンスデータＬＤとを送信できる。
【０１８１】
ところで音楽提供サーバ１０２は、上述したように基本的には中央処理ユニット８２がＲＯＭ８４に記憶された各種プログラムに従って各種処理を実行すると共に各ハードウェアを制御している。このため通信端末１０１では、図７について上述した機能回路ブロックによるハードウェア構成の音楽提供サーバ２２の機能に応じて、ＲＯＭ８４に記憶させる各種プログラムを、上述した音楽データの購入に関する各種処理を実行させるための通信プログラムのように適宜選定することにより、中央処理ユニット８２を上述した制御部４０、予約情報生成部４２、認証部４４及び日時判別部４６と同様に機能させることができる。
【０１８２】
また音楽提供サーバ１０２では、ＲＡＭ８５又はハードディスクドライブ８３を、上述したデータ記憶部４１、日時情報記憶部４３、関連提供情報記憶部４５、購入画面記憶部４７、予約画面記憶部４９、識別情報記憶部５０及び紹介画面記憶部５１（図７）と同様に機能させることができる。さらに音楽提供サーバ１０２では、通信処理回路８１を、上述した提供側通信部４８（図７）と同様に機能させることができる。
【０１８３】
従って音楽提供サーバ１０２は、音楽提供サーバ２２の機能に応じて、ＲＯＭ８４に記憶させる各種プログラムを適宜選定することにより、当該音楽提供サーバ２２と同様に上述した音楽データの購入に関する各種処理を実行することができ、かくして上述した第１の実施の形態による音楽提供サーバ２２と同様の効果を得ることができる。
【０１８４】
因みに音楽提供サーバ１０２については、ＲＯＭ８４に対し予め通信プログラムを記憶していても良いし、通信プログラムが格納されたプログラム格納媒体をインストールするようにしても良い。そして通信プログラムを音楽提供サーバ１０２にインストールして実行可能な状態にするためのプログラム格納媒体としては、例えばフレキシブルディスク、ＣＤ−ＲＯＭ、ＤＶＤ等のパッケージメディアのみならず、各種プログラムが一時的もしくは永続的に格納される半導体メモリや磁気ディスク等で実現しても良い。また、これらプログラム格納媒体に復号プログラムを格納させる手段としては、ローカルエリアネットワークやインターネット、デジタル衛星放送等の有線及び無線通信媒体を利用しても良く、ルータやモデム等の各種通信インタフェースを介して格納させるようにしても良い。
【０１８５】
（４）他の実施の形態
なお、上述した第１及び第２の実施の形態においては、本発明によるコンテンツ提供システムを、図１乃至図１５について上述したコンテンツ提供システム１、音楽購入システム２０及び音楽購入システム１００に適用するようにした場合について述べたが、本発明はこれに限らず、提供可能なデータを提供するシステムであれば、その構成や用途は何でも良く、動画データの提供と購入を行う動画購入システムや、ラジオ番組や動画番組を配信する番組配信システム、ゲームデータを配信するゲーム購入システム、アップロードしたファイルを複数の端末でダウンロードするファイル取得システム等、この他種々のコンテンツ提供システムに広く適用することができる。
【０１８６】
また上述した第１及び第２の実施の形態においては、本発明によるコンテンツデータを、図１乃至図１５について上述した音楽データに適用するようにした場合について述べたが、本発明はこれに限らず、動画データや番組データ、ゲームデータ、アップロード可能なデータファイル等、この他種々のコンテンツデータに広く適用することができる。
【０１８７】
さらに上述した第１及び第２の実施の形態においては、コンテンツデータを提供するコンテンツ提供装置を、図１乃至図１５についてについて上述したコンテンツ提供装置２、音楽提供サーバ２２及び音楽提供サーバ１０２に適用するようにした場合について述べたが、本発明はこれに限らず、パーソナルコンピュータや、ハードディスクレコーダ等の据置型の記録再生装置等のように、この他種々のコンテンツ提供装置に広く適用することができる。
【０１８８】
さらに上述した第１及び第２の実施の形態においては、当該コンテンツ提供装置の提供するコンテンツデータを取得するコンテンツ取得装置を、図１乃至図１５について上述したコンテンツ取得装置３、通信端末２１及び通信端末１０１に適用するようにした場合について述べたが、本発明はこれに限らず、パーソナルコンピュータや、ハードディスクレコーダ等の据置型の記録再生装置等のように、この他種々のコンテンツ取得装置に広く適用することができる。
【０１８９】
さらに上述した第１及び第２の実施の形態においては、コンテンツデータの提供開始日時前に、コンテンツ取得装置から、当該コンテンツデータの取得の予約を要求する予約要求情報が送信されると、当該予約要求情報を受信する予約要求受信部として、図１乃至図１５について上述したコンテンツ提供装置２の予約要求受信部４や音楽提供サーバ２２の提供側通信部４８、音楽提供サーバ１０２の通信処理回路８１を適用するようにした場合について述べたが、本発明はこれに限らず、ローカルエリアネットワークに接続するためのルータや、デジタル衛星放送等に通信可能なアンテナ、無線ＬＡＮのアクセスポイントに通信可能な通信処理回路、公衆電話回線網に通信可能なモデム等のように、この他種々の予約要求受信部を広く適用することができる。
【０１９０】
さらに上述した第１及び第２の実施の形態においては、予約要求受信部により予約要求情報が受信されると、コンテンツ取得装置に対し、コンテンツデータ、及び当該コンテンツデータのデータ量よりも少ないデータ量で提供開始日時からコンテンツデータの利用を許可する利用許可データのうち当該コンテンツデータと、取得の予約を受け付けたこと及び提供開始日時を示す予約情報とを送信する予約情報送信部として、図１乃至図１５について上述したコンテンツ提供装置２の予約情報送信部５や音楽提供サーバ２２の提供側通信部４８、音楽提供サーバ１０２の通信処理回路８１を適用するようにした場合について述べたが、本発明はこれに限らず、ローカルエリアネットワークに接続するためのルータや、デジタル衛星放送等に通信可能なアンテナ、無線ＬＡＮのアクセスポイントに通信可能な通信処理回路、公衆電話回線網に通信可能なモデム等のように、この他種々の予約情報送信部を広く適用することができる。
【０１９１】
さらに上述した第１及び第２の実施の形態においては、予約情報送信部により、コンテンツデータと予約情報とがコンテンツ取得装置に送信された結果、当該コンテンツ取得装置から、提供開始日時以降に、取得が予約されていたコンテンツデータの取得を要求する取得要求情報が送信されると、当該取得要求情報を受信する取得要求受信部として、図１乃至図１５について上述したコンテンツ提供装置２の取得要求受信部６や音楽提供サーバ２２の提供側通信部４８、音楽提供サーバ１０２の通信処理回路８１を適用するようにした場合について述べたが、本発明はこれに限らず、ローカルエリアネットワークに接続するためのルータや、デジタル衛星放送等に通信可能なアンテナ、無線ＬＡＮのアクセスポイントに通信可能な通信処理回路、公衆電話回線網に通信可能なモデム等のように、この他種々の取得要求受信部を広く適用することができる。
【０１９２】
さらに上述した第１及び第２の実施の形態においては、取得要求受信部により取得要求情報が受信されると、コンテンツ取得装置に対し、利用許可データを送信する許可データ送信部として、図１乃至図１５について上述したコンテンツ提供装置２の許可データ送信部７や音楽提供サーバ２２の提供側通信部４８、音楽提供サーバ１０２の通信処理回路８１を適用するようにした場合について述べたが、本発明はこれに限らず、ローカルエリアネットワークに接続するためのルータや、デジタル衛星放送等に通信可能なアンテナ、無線ＬＡＮのアクセスポイントに通信可能な通信処理回路、公衆電話回線網に通信可能なモデム等のように、この他種々の許可データ送信部を広く適用することができる。
【０１９３】
さらに上述した第１及び第２の実施の形態においては、コンテンツデータの提供開始日時前に、コンテンツ提供装置に対して予約要求情報を送信する予約要求送信部として、図１乃至図１５について上述したコンテンツ取得装置３の予約要求送信部８や通信端末２１の取得側通信部３３、通信端末１０１の通信処理回路７９を適用するようにした場合について述べたが、本発明はこれに限らず、ローカルエリアネットワークに接続するためのルータや、デジタル衛星放送等に通信可能なアンテナ、無線ＬＡＮのアクセスポイントに通信可能な通信処理回路、公衆電話回線網に通信可能なモデム等のように、この他種々の予約要求送信部を広く適用することができる。
【０１９４】
さらに上述した第１及び第２の実施の形態においては、予約要求送信部により、予約要求情報がコンテンツ提供装置に送信された結果、当該コンテンツ提供装置から送信されるコンテンツデータと予約情報とを受信する予約情報受信部として、図１乃至図１５について上述したコンテンツ取得装置３の予約要求送信部８や通信端末２１の取得側通信部３３、通信端末１０１の通信処理回路７９を適用するようにした場合について述べたが、本発明はこれに限らず、ローカルエリアネットワークに接続するためのルータや、デジタル衛星放送等に通信可能なアンテナ、無線ＬＡＮのアクセスポイントに通信可能な通信処理回路、公衆電話回線網に通信可能なモデム等のように、この他種々の予約情報受信部を広く適用することができる。
【０１９５】
さらに上述した第１及び第２の実施の形態においては、予約情報受信部により受信された予約情報に基づいて、提供開始日時以降に、コンテンツ提供装置に対して、取得要求情報を送信する取得要求送信部として、図１乃至図１５について上述したコンテンツ取得装置３の予約要求送信部８や通信端末２１の取得側通信部３３、通信端末１０１の通信処理回路７９を適用するようにした場合について述べたが、本発明はこれに限らずローカルエリアネットワークに接続するためのルータや、デジタル衛星放送等に通信可能なアンテナ、無線ＬＡＮのアクセスポイントに通信可能な通信処理回路、公衆電話回線網に通信可能なモデム等のように、この他種々の取得要求送信部を広く適用することができる。
【０１９６】
さらに上述した第１及び第２の実施の形態においては、取得要求送信部により、取得要求情報がコンテンツ提供装置に送信された結果、当該コンテンツ提供装置から送信される利用許可データを受信する許可データ受信部として、図１乃至図１５について上述したコンテンツ取得装置３の予約要求送信部８や通信端末２１の取得側通信部３３、通信端末１０１の通信処理回路７９を適用するようにした場合について述べたが、本発明はこれに限らず、ローカルエリアネットワークに接続するためのルータや、デジタル衛星放送等に通信可能なアンテナ、無線ＬＡＮのアクセスポイントに通信可能な通信処理回路、公衆電話回線網に通信可能なモデム等のように、この他種々の許可データ受信部を広く適用することができる。
【０１９７】
さらに上述した第１及び第２の実施の形態においては、取得要求受信部により取得要求情報が受信されると、現在日時が提供開始日時以降であるか否かを判別する提供側日時判別部として、図１乃至図１５について上述した音楽提供サーバ２２の日時判別部４６や音楽提供サーバ１０２の中央処理ユニット８２を適用するようにした場合について述べたが、本発明はこれに限らず、取得要求受信部により取得要求情報が受信されると、現在日時が提供開始日時以降であるか否かを判別するハードウェア回路構成でなる提供側日時判別回路等のように、この他の種々の提供側日時判別部を広く適用することができる。
【０１９８】
さらに上述した第１及び第２の実施の形態においては、予約情報送信部により、コンテンツデータと予約情報とがコンテンツ取得装置に送信された結果、当該コンテンツ取得装置から、予約情報に基づき、予約に関連して提供される関連提供情報の取得を要求する提供情報取得要求を受信する提供情報要求受信部として、図１乃至図１５について上述した音楽提供サーバ２２の提供側通信部４８や音楽提供サーバ１０２の通信処理回路８１を適用するようにした場合について述べたが、本発明はこれに限らず、ローカルエリアネットワークに接続するためのルータや、デジタル衛星放送等に通信可能なアンテナ、無線ＬＡＮのアクセスポイントに通信可能な通信処理回路、公衆電話回線網に通信可能なモデム等のように、この他種々の提供情報要求受信部を広く適用することができる。
【０１９９】
さらに上述した第１及び第２の実施の形態においては、提供情報要求受信部により提供情報取得要求が受信されると、コンテンツ取得装置に対し、関連提供情報を送信する関連情報送信部として、図１乃至図１５について上述した音楽提供サーバ２２の提供側通信部４８や音楽提供サーバ１０２の通信処理回路８１を適用するようにした場合について述べたが、本発明はこれに限らず、ローカルエリアネットワークに接続するためのルータや、デジタル衛星放送等に通信可能なアンテナ、無線ＬＡＮのアクセスポイントに通信可能な通信処理回路、公衆電話回線網に通信可能なモデム等のように、この他種々の関連情報送信部を広く適用することができる。
【０２００】
さらに上述した第１及び第２の実施の形態においては、現在日時が予約情報受信部により受信された予約情報に示される提供開始日時以降であるか否かを判別する取得側日時判別部として、図１乃至図１５について上述した通信端末２１の日時判別部３７や通信端末１０１の中央処理ユニット７０を適用するようにした場合について述べたが、本発明はこれに限らず、現在日時が予約情報受信部により受信された予約情報に示される提供開始日時以降であるか否かを判別するハードウェア回路構成でなる取得側日時判別回路等のように、この他の種々の取得側日時判別部を広く適用することができる。
【０２０１】
さらに上述した第１及び第２の実施の形態においては、利用許可データにより利用が許可されたコンテンツデータを再生する再生部として、図１乃至図１５について上述した通信端末２１の再生部３４や通信端末１０１のデータ処理部７７及びスピーカ７８を適用するようにした場合について述べたが、本発明はこれに限らず、パーソナルコンピュータや、外部スピーカに再生信号を送信する据置型のハードディスク記録再生装置、画像処理部を介してディスプレイに静止画像や動画像を出力する装置等のように、この他の種々の再生部を広く適用することができる。
【０２０２】
さらに上述した第１及び第２の実施の形態においては、予約情報受信部により受信された予約情報に基づいて、予約に関連して提供される関連提供情報の取得を要求する提供情報取得要求を送信する提供情報要求送信部として、図１乃至図１５について上述した通信端末２１の取得側通信部３３や通信端末１０１の通信処理回路７９を適用するようにした場合について述べたが、本発明はこれに限らず、ローカルエリアネットワークに接続するためのルータや、デジタル衛星放送等に通信可能なアンテナ、無線ＬＡＮのアクセスポイントに通信可能な通信処理回路、公衆電話回線網に通信可能なモデム等のように、この他種々の提供情報要求送信部を広く適用することができる。
【０２０３】
さらに上述した第１及び第２の実施の形態においては、提供情報要求送信部により、提供情報取得要求がコンテンツ提供装置に送信された結果、当該コンテンツ提供装置から送信される関連提供情報を受信する関連情報受信部として、図１乃至図１５について上述した通信端末２１の取得側通信部３３や通信端末１０１の通信処理回路７９を適用するようにした場合について述べたが、本発明はこれに限らず、ローカルエリアネットワークに接続するためのルータや、デジタル衛星放送等に通信可能なアンテナ、無線ＬＡＮのアクセスポイントに通信可能な通信処理回路、公衆電話回線網に通信可能なモデム等のように、この他種々の関連情報受信部を広く適用することができる。
【０２０４】
さらに上述した第１及び第２の実施の形態においては、予約情報に基づき、予約に関連して提供される関連提供情報（予約特典）として、図１乃至図１５について上述した、予約通知画面Ｘ２、試聴画面データ、試聴画面データに基づく試聴画面、関連音楽紹介画面データ、関連音楽紹介画面データに基づく関連音楽紹介画面、関連画面取得先情報、試聴画面取得先情報、購入割引情報、及び試聴データを適用するようにした場合について述べたが、本発明はこれに限らず、予約に関連して提供される情報であればどのような情報やデータであっても良い。
【産業上の利用可能性】
【０２０５】
本発明は、コンテンツデータを迅速に提供するコンテンツ提供システム、コンテンツ提供装置、コンテンツ取得装置、コンテンツ取得方法及びコンテンツ取得プログラムに利用することができる。
【図面の簡単な説明】
【０２０６】
【図１】本実施の形態によるコンテンツ提供システムの概要を示すブロック図である。
【図２】第１の実施の形態による音楽購入システムの構成を示す略線図である。
【図３】第１の実施の形態の通信端末の詳細構成を示すブロック図である。
【図４】音楽紹介画面の構成を示す略線図である。
【図５】ライセンスデータの構成を示す表である。
【図６】予約情報の構成を示す表である。
【図７】第１の実施の形態による音楽提供サーバの詳細構成を示すブロック図である。
【図８】予約通知画面の構成を示す略線図である。
【図９】関連音楽紹介画面の構成を示す略線図である。
【図１０】試聴画面の構成を示す略線図である。
【図１１】音楽購入システムにおける購入予約処理手順のフローである。
【図１２】音楽購入システムにおける予約関連提供処理手順のフローである。
【図１３】第２の実施の形態による音楽購入システムの構成を示す略線図である。
【図１４】第２の実施の形態の通信端末の詳細構成を示すブロック図である。
【図１５】第２の実施の形態による音楽提供サーバの詳細構成を示すブロック図である。
【符号の説明】
【０２０７】
１……コンテンツ提供システム、２……コンテンツ提供装置、３……コンテンツ取得装置、４……予約要求受信部、５……予約情報送信部、６……取得要求受信部、７……許可データ送信部、８……予約要求送信部、９……予約情報受信部、１０……取得要求送信部、１１……許可データ受信部、２０、１００……音楽購入システム、２１、１０１……通信端末、２２、１０２……音楽提供サーバ、３０、４０……制御部、３３……取得側通信部、３４……再生部、３７……日時判別部、４２……予約情報生成部、４６……日時判別部、４８……提供側通信部、ＬＤ……ライセンスデータ、ＹＪ……予約情報。
【図１】
2008198109.tif 000003
【図２】
2008198109.tif 000004
【図３】
2008198109.tif 000005
【図４】
2008198109.tif 000006
【図５】
2008198109.tif 000007
【図６】
2008198109.tif 000008
【図７】
2008198109.tif 000009
【図８】
2008198109.tif 000010
【図９】
2008198109.tif 000011
【図１０】
2008198109.tif 000012
【図１１】
2008198109.tif 000013
【図１２】
2008198109.tif 000014
【図１３】
2008198109.tif 000015
【図１４】
2008198109.tif 000016
【図１５】
2008198109.tif 000017